(57)【要約】【課題】ネットワーク内の或る局においてクロックの周波数変動（周波数精度の劣化）が生じた場合において、当該局のみならず、その下位局など、階層的にクロックの周波数精度の劣化が生じる場合に、網全体を見渡し、より少ない局でのクロック従属元の切替を行う。【解決手段】クロック供給システム１において、クロック供給装置２１は、入力クロックおよび出力クロックの周波数精度を計測し、周波数精度が劣化した場合に、警報として網同期クロック管理装置１００に送信する。網同期クロック管理装置１００は、クロック供給装置２１から警報を受信した場合に、当該警報発出局の上位局と、当該警報発出局の下位局群と、における警報出力の状況を検出し、所定の規則に従い、クロック従属元を切り替えるべき局を判定し、この局にクロック従属元の切替信号（制御信号）を出力する。【選択図】図１
2010288084.tif 000002
【特許請求の範囲】
【請求項１】
ネットワーク内の各局に設置されると共に、ネットワーク側から伝送路を介して通常系であるＮ系または予備系であるＥ系の入力クロックを受信し、該入力クロックに同期した出力クロックを生成して前記伝送路に出力するクロック供給装置と、前記ネットワーク内の各局のクロック供給装置から、入力クロックおよび出力クロックの周波数精度の劣化情報を警報として前記ネットワークを介して受信する網同期クロック管理装置とで構成されるクロック供給システムであって、
前記各局内のクロック供給装置は、
前記入力クロックおよび出力クロックの予め設定された周波数からの誤差を計測すると共に、前記誤差が所定の閾値範囲を超えた場合に、警報を出力し前記網同期クロック管理装置に送信する周波数精度計測部と、
前記網同期クロック管理装置からクロック従属元の切替えを指示する制御信号を受信し、出力クロックを生成するためのクロック従属元をＮ系入力クロックからＥ系入力クロックへ、またはＥ系入力クロックからＮ系入力クロックに、さらには自走状態へと使用するクロックを切り替える入力切替部と、
を備え、
前記網同期クロック管理装置は、
ネットワーク内での各局のクロック同期の従属関係における上位、下位の関係を記憶するデータベースと、
前記ネットワーク内の各局のクロック供給装置から送信される前記警報を受信する警報収集部と、
前記警報収集部によりネットワーク内の任意の局から前記警報を受信した場合に、前記データベースを参照し、警報を出力した局である警報発出局の上位局と、当該警報発出局の下位局群とにおける警報の出力状態を検出し、所定の規則に従いクロック従属元を切り替えるべき局を判定する評定部と、
前記評定部における判定結果に応じて、クロック従属元を切り替えるべき局に対してクロック従属元の切替信号を制御信号として出力する制御部と、
を備えることを特徴とするクロック供給システム。
【請求項２】
前記網同期クロック管理装置内の評定部は、
前記警報収集部により、ネットワーク内の任意の局から前記警報を受信した場合に、
警報を出力した局である警報発出局の上位局と、当該警報発出局の下位局群と、当該警報発出局の上位局に従属する下位局群とにおける警報の出力状況を検出し、所定の規則に従いクロック従属元を切り替えるべき局を判定する、
ことを特徴とする請求項１に記載のクロック供給システム。
【請求項３】
前記クロック供給装置内の入力切替部は、前記網同期クロック管理装置から出力される制御信号に応じて、
クロック従属元をＮ系からＥ系に切り替える機能と、
クロック従属元をＥ系からＮ系に切り替える機能と、
クロック従属元をＮ系従属から自走状態に切り替える機能と、
クロック従属元をＥ系従属から自走状態に切り替える機能と、
クロック従属元を自走状態からＮ系に切り戻す機能と、
クロック従属元を自走状態からＥ系に切り戻す機能と、
を備えることを特徴とする請求項１または請求項２に記載のクロック供給システム。
【請求項４】
前記網同期クロック管理装置内には、所定の時間を計数し前記警報が継続して出力されていることを判定するための第１のタイマを有し、
前記評定部は、
前記ネットワーク内の任意の局で警報が発生した場合に、警報を出力した局である警報発出局の上位局からの警報の出力がないこと検出して、当該警報発出局に対し前記第１のタイマの計数動作を開始させる機能と、
前記警報発出局の上位局及び下位局群から前記警報の出力が検出されない状態において、前記第１のタイマの計数値が予め設定した設定値と一致した場合に、前記警報発生局に対してクロック従属元の変更を要求する制御信号を前記制御部を介して出力する機能と、
前記警報発出局の上位局からの警報の出力が検出されず、かつ当該警報発出局の下位局群のいずれかの局からの警報の出力が検出される状態において、前記第１のタイマの計数値が予め設定した設定値と一致した場合に、前記警報発出局のクロック従属元の変更を要求する制御信号を前記制御部を介して出力する機能と、
を備えることを特徴とする請求項１から請求項３のいずれかに記載のクロック供給システム。
【請求項５】
前記網同期クロック管理装置内には、前記第１のタイマよりも短い時間を計数する第２のタイマをさらに備え、
前記評定部は、
前記ネットワーク内の任意の局で警報が発生した場合に、警報を出力した局である警報発出局に対して前記第１のタイマの計数動作を開始させる機能と、
前記第１のタイマの計数動作中であって、かつ前記警報発出局の上位局及び下位局群からの警報の出力が検出されない状態において、前記第１のタイマの計測動作が満了した場合に、前記警報発出局のクロック従属元の変更を要求する制御信号を前記制御部を介して出力する機能と、
前記第１のタイマの計数動作中であって、かつ前記警報発出局の上位局からの警報の出力が検出されず、かつ前記警報発出局の下位局群のいずれかの局からの警報の出力が検出される状態において、前記第２のタイマを動作させると共に、前記第２のタイマの動作中に前記第１のタイマが予め設定した計数値に到達した場合、または、前記第１のタイマの動作中に前記第２が予め設定した計数値に到達した場合に、前記警報発出局のクロック従属元の変更を要求する制御信号を前記制御部を介して出力する機能と、
を備えることを特徴とする請求項４に記載のクロック供給システム。
【請求項６】
前記評定部は、
前記警報発出局に加えて、該警報発出局の上位局に従属する下位局群のいずれかの局に警報を出力する局がある場合には、該警報発出局の上位局に対しクロック従属元の変更を要求する制御信号を前記制御部を介して出力する機能を、
さらに備えることを特徴とする請求項４または請求項５に記載のクロック供給システム。
【請求項７】
前記網同期クロック管理装置内の前記評定部がクロック従属元を切り替えるべき局を判定する際、
警報発出局から警報を受信した場合に、当該警報発出局を初期状態である状態１−１から、当該警報発出局と、当該警報発出局の上位局および下位局群と、当該警報発出局の上位局に従属する下位局群とを認識する状態である状態２−１に遷移させ、
前記状態２−１において、当該警報発出局の上位局から警報が出力されていないことを検出した場合に、当該警報発出局に対し前記第１のタイマの計数を開始させる状態２−２に遷移させ、
前記状態２−２において、前記第１のタイマの作動中に、上位局からの警報の出力が検出されず、かつ当該警報発出局の下位局群のいずれかの局からの警報の出力が検出される場合に、当該警報発出局を状態２−２から状態３−１に遷移させ、
前記状態２−２において、当該警報発出局の上位局および下位局群からの警報が出力されない状態において、前記第１のタイマが予め設定した計数値に到達した場合に、当該警報発出局を前記状態２−２から状態４−１に遷移させ、
前記状態３−１において、第２のタイマの計数動作を開始させ、前記警報発出局の上位局からの警報が出力が検出されず、かつ当該警報発出局の下位局群のいずれかの局からの警報の出力が検出される状態において、前記第２のタイマの計数動作中に前記第１のタイマが予め設定した計数値に到達した場合、または、前記第１のタイマの計数動作中に、前記第２のタイマが予め設定した計数値に到達した場合に、当該警報発出局を状態３−１から状態４−１に遷移させ、
前記状態４−１において、前記第１のタイマおよび第２のタイマの動作を停止させると共に、前記警報発出局に対してクロック従属元の切替信号を前記制御部を介して出力すると共に、該状態４−１において、当該警報発出局からの警報の出力が行われなくなったことを検出した場合に、当該警報発出局を、状態４−１から状態５−１に遷移させ、
前記状態５−１において、前記第１のタイマの計数動作を開始させ、該第１のタイマが予め設定した計数値に到達した時、または該第１のタイマの計数動作中に前記警報発出局の下位局群からの警報の出力がなくなったことを検出した時に、当該警報発出局を、状態５−１から前記初期状態１−１に遷移させる、
ことを特徴とする請求項５に記載のクロック供給システム。
【請求項８】
前記警報発出局に加えて、当該警報発出局の上位局に従属する下位局群に警報を出力する局がある場合において、
前記評定部が、当該警報発出局を含む前記上位局に従属する下位局群の１つが最初に前記状態５−１となった場合に、最初に前記状態５−１になった局に対する前記第１のタイマの計数動作中に、当該警報発出局を含む他の下位局群の中に前記状態４−１または状態５−１に存在する局があるとき、当該警報発出局の上位局に対してクロック従属元を切り替える制御信号を前記制御部を介して出力する
ことを特徴とする請求項７に記載のクロック供給システム。
【請求項９】
ネットワーク内の各局に設置されると共に、ネットワーク側から伝送路を介して通常系であるＮ系または予備系であるＥ系の入力クロックを切り替えて受信し、該入力クロックに同期した出力クロックを生成して前記伝送路に出力するクロック供給装置と、前記ネットワーク内の各局のクロック供給装置から、入力クロックおよび出力クロックの周波数精度の劣化の情報を警報として前記ネットワークを介して受信し、警報を出力する局がある場合に、当該警報発出局の上位局および下位局群と、前記上位局に従属する下位局群とにおける警報の出力状況を検出し、所定の規則に従いクロック従属元を切り替えるべき局を判定する網同期クロック管理装置とで構成されるクロック供給システムにおける前記クロック供給装置であって、
前記入力クロックおよび出力クロックの予め設定された周波数からの誤差を計測すると共に、前記誤差が所定の閾値範囲を超えた場合に、警報を出力し前記網同期クロック管理装置に送信する周波数精度計測部と、
前記網同期クロック管理装置からクロック従属元の切替えを指示する制御信号を受信し、出力クロックを生成するためのクロック従属元をＮ系入力クロックからＥ系入力クロックへ、またはＥ系入力クロックからＮ系入力クロックに、さらには自走状態へと切り替える入力切替部と、
を備えることを特徴とするクロック供給装置。
【請求項１０】
ネットワーク内の各局に設置されると共に、ネットワーク側から伝送路を介して通常系であるＮ系または予備系であるＥ系の入力クロックを切り替えて受信し、該入力クロックに同期した出力クロックを生成して前記伝送路に出力すると共に、前記入力クロックおよび出力クロックの周波数精度を計測し、前記周波数精度が劣化した場合に、周波数精度の劣化情報を警報として出力するクロック供給装置と、前記ネットワーク内の各局のクロック供給装置から前記警報をネットワークを介して受信する網同期クロック管理装置とで構成されるクロック供給システムにおける前記網同期クロック管理装置であって、
ネットワーク内での各局のクロック同期の従属関係における上位、下位の関係を記憶するデータベースと、
前記ネットワーク内の各局のクロック供給装置から送信される警報を受信する警報収集部と、
前記警報収集部によりネットワーク内の任意の局から前記警報を受信した場合に、前記データベースを参照し、警報を出力した局である警報発出局の上位局と下位局群と、前記上位局に従属する下位局群とにおける警報の出力状況を検出し、所定の規則に従いクロック従属元を切り替えるべき局を判定する評定部と、
前記評定部における判定結果に応じて、クロック従属元を切り替えるべき局に対してクロック従属元の切替信号を制御信号として出力する制御部と、
を備えることを特徴とする網同期クロック管理装置。
【請求項１１】
ネットワーク内の各局に設置されると共に、ネットワーク側から伝送路を介して通常系であるＮ系または予備系であるＥ系の入力クロックを切り替えて受信し、該入力クロックに同期した出力クロックを生成して前記伝送路に出力するクロック供給装置と、前記ネットワーク内の各局のクロック供給装置から、入力クロックおよび出力クロックの周波数精度の劣化の情報を警報として前記ネットワークを介して受信し、警報を出力する局がある場合に、当該警報発出局の上位局および下位局群と、前記上位局に従属する下位局群とにおける警報の出力状況を検出し、所定の規則に従いクロック従属元を切り替えるべき局を判定する網同期クロック管理装置とで構成されるクロック供給システムにおける前記クロック供給装置内のコンピュータに、
前記入力クロックおよび出力クロックの測定された周波数と、予め設定された周波数との誤差が、所定の閾値範囲を超えた場合に、警報を出力し前記網同期クロック管理装置に送信する周波数精度計測手順と、
前記網同期クロック管理装置からクロック従属元の切替えを指示する制御信号を受信し、出力クロックを生成するためのクロック従属元をＮ系入力クロックからＥ系入力クロックへ、またはＥ系入力クロックからＮ系入力クロックに、さらには自走状態へと切り替える入力切替手順と、
を実行させるためのプログラム。
【請求項１２】
ネットワーク内の各局に設置されると共に、ネットワーク側から伝送路を介して通常系であるＮ系または予備系であるＥ系の入力クロックを切り替えて受信し、該入力クロックに同期した出力クロックを生成して前記伝送路に出力すると共に、前記入力クロックおよび出力クロックの測定された周波数と、予め設定された周波数との誤差が、所定の閾値範囲を超えた場合に、警報を出力するクロック供給装置と、前記ネットワーク内の各局のクロック供給装置から前記警報をネットワークを介して受信する網同期クロック管理装置とで構成されるクロック供給システムにおける前記網同期クロック管理装置内のコンピュータに、
ネットワーク内での各局のクロック同期の従属関係における上位、下位の関係をデータベースに記憶させる手順と、
前記ネットワーク内の各局のクロック供給装置から送信される警報をする警報収集手順と、
前記警報収集手順によりネットワーク内の任意の局から前記警報を受信した場合に、上記データベースを参照し、警報を出力した局である警報発出局の上位局と下位局群と、前記上位局に従属する下位局群とにおける警報の出力状況を検出し、所定の規則に従いクロック従属元を切り替えるべき局を判定する評定手順と、
前記評定手順による判定結果に応じて、クロック従属元を切り替えるべき局に対してクロック従属元の切替信号を制御信号として出力する制御手順と、
を実行させるためのプログラム。
【発明の詳細な説明】
【技術分野】
【０００１】
本発明は、ネットワーク（従属同期方式の網）内の或る局おいてクロックの周波数変動（周波数精度劣化、すなわち設定された周波数からの差分の誤差周波数が予め設定した閾値より大きくなる状態）が生じた場合において、当該局のみならず、その下位局と、さらにその下位局など、階層的にクロックの周波数精度の劣化が生じる場合に、より少ない局での異常解析、クロック従属元の切替を行うことができる、クロック供給システム、クロック供給装置、網同期クロック管理装置、およびコンピュータプログラムに関する。
【背景技術】
【０００２】
現在のわが国の通信網はネットワーク内の各ノード及び各装置の動作クロックを一致させる網同期方式として従属同期方式を採用している。従属同期方式では、図１４に示すように最上位のノード内のクロック供給装置（クロック供給装置については後述する）から出力されるマスタクロック（Primary Reference Clock）を起点とし、上位ノードから伝送路（クロックパス）を介して下位ノードにクロックが分配される。各ノードに分配されたクロックは、図１５に示すように、伝送路１４および伝送装置１２を経由して、ノード１１内に設置されているクロック供給装置２１Ｂにより受信される。クロック供給装置２１Ｂは、受信したクロックに同期したクロックを生成し、ノード１１内の各装置（伝送装置１２および交換機１３等）に分配し、そのクロックが、更に下位ノードに伝送路（クロックパス）１４を介して分配される。
【０００３】
図１６に示すように、クロック供給装置２１Ｂは、Ｎ系クロック受信部２２、Ｅ系クロック受信部２３、入力断監視部２４、入力切替部２５、発振器部２６、分配部２７で構成される。クロック従属元は、図１４，１５，１６に示したとおり、Ｎ／Ｅ冗長構成をとっており、通常はＮ系（通常系）のクロックパスから分配されているクロックに従属している。そして、クロック供給装置２１Ｂは、入力監視部２４によりＮ系クロック入力断を検出した場合、切替信号を入力切替部２５に送信し、そのクロック供給元をＥ系（予備系）に切り替えさせる。しかし、クロック供給装置２１ＢがＮ系クロック入力に従属しているとき、Ｎ系クロック入力断ではなく、クロック周波数精度の劣化を伴うような異常がＮ系クロックパスに発生した場合、Ｅ系には切り替わらない。そのためクロック供給装置２１Ｂは周波数精度が劣化したクロックに従属し続けてしまう。このような問題を解決する手段として、従来技術のクロック供給装置に示されるクロック周波数精度監視方法がある（特許文献１を参照）。
【０００４】
これは図１７に示すように、クロック供給装置２１Ｂ内の発振器部２６から出力される制御データを周波数制御データ監視部２８でモニタすることにより、出力周波数精度を監視する技術である。ただし、図１７に示す例では、図１６に記載されていた入力断監視部２４は省略して示している。前述の特許文献１の実施例には、１０，０００秒間のＭＴＩＥ（Maximum Time Interval Error）に閾値１０μｓｅｃを課したケースが挙げられている。
【０００５】
この特許文献１の実施例では、１０，０００秒のスライディングウィンドウ（スライド間隔：１００ｓｅｃ）を設定し、その１０，０００秒間、１００秒間隔で周波数制御データを収集したものを周波数に換算し、「ｆ(ｎ×Δｔ)」とする。ただし「０≦ｎ≦１００、Δｔ=１００秒」である。基準値の周波数換算値ｆ０からの偏差「Δｆ／ｆ０」から、時刻ｎ×Δｔで次式に定義されるＴＩＥ（Time Interval Error）が得られる。
【０００６】
【数１】
2010288084.tif 000003
【０００７】
前述の１０，０００秒間で、１０１個の「ＴＩＥ：ＴＩＥ(０), ＴＩＥ(Δｔ), …, ＴＩＥ(９９×Δｔ), ＴＩＥ(１００×Δｔ)」が得られる。この１０１個のＴＩＥの最大値と最小値の差「ＭＴＩＥ」に閾値１０μｓｅｃを課し、それを超過すれば、警報「ＥＭＥＲＧＥＮＣＹ」を発出（出力）し、入力クロック従属元をＮ系からＥ系に切り替える。これによりクロック周波数精度が劣化した入力への従属を回避できる。基準値は５，０００，０００秒のスライディングウインドウ（スライド間隔：１００秒）でモニタされた制御データ５０，０００個を平均することにより得られる。
【０００８】
またＧｐＳ（Global Positioning System）信号を基準としてクロック供給装置の入力クロック及び出力クロックの周波数精度を計測する方法も従来技術としてあり、これを前記特許文献１の例と組み合わせることにより、図１８に示すクロック供給装置２１Ｃの構成とすることもできる。
【０００９】
出力クロックについては、前述の特許文献１と同様にして周波数精度を監視し、入力クロックについては、ＧｐＳ受信機３０から送信される高精度の基準周波数ｆ０とクロック入力の周波数fを１００秒間隔で比較し、ｆ(ｎ×Δｔ)とする。ただし「０≦ｎ≦１００、Δｔ＝１００秒」である。そして、基準値の周波数換算値ｆ０からの偏差「Δｆ／ｆ０」から、前記特許文献１の例と同様に、１０，０００秒のスライディングウィンドウ（スライド間隔：１００ｓｅｃ）を設定し、この１０，０００秒間で得た１０１個の「ＴＩＥ；ＴＩＥ（０），ＴＩＥ(Δｔ)，・・・，ＴＩＥ(９９×Δｔ),ＴＩＥ(１００×Δｔ)」の最大値と最小値の差「ＭＴＩＥ」に、閾値１０μｓｅｃを課し、それを超過すれば、警報「ＥＭＥＲＧＥＮＣＹ」を発出する。
【００１０】
この方法をＮ系、Ｅ系各クロック入力に適用する。すなわち、Ｎ系入力ＭＴＩＥ計測部３１とＥ系入力ＭＴＩＥ計測部３２を設け、Ｎ系、Ｅ系各クロック入力の周波数精度を、前記特許文献１の例と同様の精度で監視することができる。そして、Ｎ系、Ｅ系各クロック入力の警報「ＥＭＥＲＧＥＮＣＹ」を前述の周波数制御データ監視部２８に入力し、周波数制御データ監視部２８は出力クロックに関する警報「ＥＭＥＲＧＥＮＣＹ」を受信したとき、入力クロックの警報を確認し、図２６に示す表１の論理に従って、切替信号を入力切替部２５に送信する。つまり、周波数制御データ監視部２８はクロック従属元を切り替える際、事前に切替先の周波数精度の正常性を確認することができる。ただし、図２６に示す表１中の「自走」とは入力切替部２５はスイッチをＮ系クロック入力、Ｅ系クロック入力いずれの接点にも接続しない状態を指す。
【００１１】
この、図２６に示す表１において、「状態１」は、周波数制御データ監視部２８から、出力クロックのＥＭＥＲＧＥＮＣＹ信号が発出され、Ｎ系ＭＴＩＥ計測部３１からＮ系入力クロックのＥＭＥＲＧＥＮＣＹ信号が発出され、Ｅ系ＭＴＩＥ計測部３２からＥ系入力クロックのＥＭＥＲＧＥＮＣＹ信号が発出された状態を示している。この「状態１」の場合は、Ｎ系およびＥ系とも入力クロックが劣化しているので、「自走」とする。
【００１２】
「状態２」は、周波数制御データ監視部２８から、出力クロックのＥＭＥＲＧＥＮＣＹ信号が発出され、Ｎ系ＭＴＩＥ計測部３１からＮ系入力クロックのＥＭＥＲＧＥＮＣＹ信号が発出され、Ｅ系ＭＴＩＥ計測部３２からＥ系入力クロックのＥＭＥＲＧＥＮＣＹ信号が発出されない状態を示している。この「状態１」の場合は、Ｎ系の入力クロックが劣化していると判断し、クロック入力の従属元として、Ｅ系へ切替を行う。
【００１３】
「状態３」は、周波数制御データ監視部２８から、出力クロックのＥＭＥＲＧＥＮＣＹ信号が発出され、Ｎ系ＭＴＩＥ計測部３１からＮ系入力クロックのＥＭＥＲＧＥＮＣＹ信号が発出されず、Ｅ系ＭＴＩＥ計測部３２からＥ系入力クロックのＥＭＥＲＧＥＮＣＹ信号が発出された状態を示している。この「状態３」の場合は、Ｎ系入力クロックの劣化具合がＥＭＥＲＧＥＮＣＹ信号が発出される閾値よりも僅かに下にであることが想定されるため、Ｎ系およびＥ系とも入力クロックが劣化しているので、「自走」とする。
【００１４】
「状態４」は、周波数制御データ監視部２８から、出力クロックのＥＭＥＲＧＥＮＣＹ信号が発出され、Ｎ系ＭＴＩＥ計測部３１からＮ系入力クロックのＥＭＥＲＧＥＮＣＹ信号が発出されず、Ｅ系ＭＴＩＥ計測部３２からＥ系入力クロックのＥＭＥＲＧＥＮＣＹ信号が発出されない状態を示している。この「状態４」の場合は、クロック入力の従属元として、Ｅ系へ切替を行う。
【００１５】
なお、図１８に示す例では、ＧｐＳからの信号を基準としてＮ系入力クロック、Ｅ系入力クロックの周波数精度を監視し、出力については、制御データを利用したが、図１９に示すように、周波数制御データ監視部２８に代えて出力ＭＴＩＥ計測部３３を設置し、Ｎ系入力クロック、Ｅ系入力クロック、出力クロック全ての監視についてＧｐＳからの信号を基準とすることもできる。
【００１６】
ここで、図１８に示す構成のクロック供給装置２１Ｃの効果について説明するため、或る局Ａに対してＮ系入力クロックに、正常クロック周波数ｆ０に対して周波数偏差「Δｆ／ｆ０＝１．０×１０−８」の変動が与えられたケースを考える。スイライディングウィンドウのスライド間隔が１００秒なので、各動作は１００秒単位である。
【００１７】
図２０に前記周波数偏差が与えられた時刻を０とした制御データのＭＴＩＥ（単位：ｎｓｅｃ）の変化を示す。時刻１，２００秒で、周波数制御データ監視部２８は局Ａの制御データのＭＴＩＥが閾値１０μｓｅｃとなったことを検出し、制御データの警報「ＥＭＥＲＧＥＮＣＹ」を発出し、Ｅ系入力クロックは正常なのでクロック従属元をＥ系に切り替えるよう切替信号を入力切替部２５に送信し、入力切替部２５はクロック従属元をＥ系に切り替える。時刻１０，４００秒に周波数制御データ監視部２８はＭＴＩＥが閾値１０μｓｅｃ未満に回復したことを検出し、制御データの警報「ＥＭＥＲＧＥＮＣＹ」は解除される。このようにして、Ｎ系入力クロックが劣化したことを検出して、クロック従属元をＮ系クロックからＥ系クロックに切り替えることができる。
【先行技術文献】
【特許文献】
【００１８】
【特許文献１】特許第３３７０２５８号明細書
【発明の概要】
【発明が解決しようとする課題】
【００１９】
ところで、図２１に示すように、局Ａに局Ｂ１，Ｂ２，Ｂ３がそれぞれ従属し、局Ｃ１，Ｃ２，Ｃ３は局Ｂ１，Ｂ２，Ｂ３にそれぞれ従属している構成で、局Ａに対して先ほどと同様にＮ系に正常クロック周波数ｆ０に対して周波数偏差「Δｆ／ｆ０＝１．０×１０−８」の変動が与えられたケースを考える。スイライディングウィンドウのスライド間隔が１００秒なので、各動作は１００秒単位である。
【００２０】
図２２に各局の周波数制御データ監視部２８から出力される制御データのＭＴＩＥ（単位：ｎｓｅｃ）の変化を示す。時刻１，２００秒に、局Ａの周波数制御データ監視部２８は制御データのＭＴＩＥが閾値１０μｓｅｃとなったことを検出し、制御データの警報「ＥＭＥＲＧＥＮＣＹ」を発出する。
【００２１】
この場合、Ｅ系入力クロックは正常なのでクロック従属元をＥ系に切り替えるよう切替信号を入力切替部２５に送信し、入力切替部２５はクロック従属元をＥ系に切り替える。しかし、局Ａの出力がすぐに回復する訳ではないので、下位局Ｂ１，Ｂ２，Ｂ３のＭＴＩＥは時刻１，５００秒で閾値１０μｓｅｃとなり、クロック従属元はＥ系に切り替わる。局Ｂ１，Ｂ２，Ｂ３の出力もすぐに回復する訳ではないので、下位局Ｃ１，Ｃ２，Ｃ３のＭＴＩＥは時刻１，７００秒で閾値１０μｓｅｃとなり、クロック従属元はＥ系に切り替わる。つまり図２３に示すように、クロック従属元のＥ系への切り替えは局Ａ、その下位局Ｂ１，Ｂ２，Ｂ３及びその下位局Ｃ１，Ｃ２，Ｃ３で実施される。
【００２２】
このように、ある局Ａに周波数変動が与えられた場合、局Ａのみでなく、その下位に属する局でもクロック入力元をＮ系からＥ系に変更するケースが有る。この場合、クロック入力元を変更した各局で、異常調査等の保守対応がなされる。網的に見れば、そもそもの原因である局Ａでのみ従属元の切替、クロック従属元の異常調査等の保守対応をすればよいのであるが、従来技術では、上位局、下位局でのＭＴＩＥに関する情報及びそれらを網的に考慮したクロック従属元切替アルゴリズムは無いので、網全体を見渡しての網異常対処は不可能である。また仮に局ＡのＮ系入力が根本の原因であることが判明し解決したとしても、局Ａのみでなく、下位局Ｂ１，Ｂ２，Ｂ３及びその下位局Ｃ１，Ｃ２，Ｃ３でもクロック入力元をＥ系からＮ系に切り戻す必要が有る。切り戻しは手動であり、下位局及びその下位局が本例のように３局ずつではなく、多数の場合、その作業を速やかに実施することは困難である。
【００２３】
また、別の例として、同じく図２１に示す構成で局ＡにＮ系に正常クロック周波数ｆ０に対して周波数偏差「Δｆ／ｆ０＝９．９×１０−１０」の変動が与えられたケース、即ち、１０，０００秒でのＭＴＩＥが９．９μｓｅｃ程度に維持される程度の周波数偏差が入力されたケースを考える。
【００２４】
ＩＴＵ（International Telecommunication Union）の勧告Ｇ．８２３，Ｇ．８２４,Ｇ．８２５によると、ネットワーク内で許容される１０，０００秒でのＭＴＩＥとして１μｓｅｃ程度が規定されているので、局Ａから下位局Ｂ１，Ｂ２，Ｂ３までのクロックパスに１０，０００秒で１μｓｅｃのＭＴＩＥが加算されることが有り得る。ここでは、局Ｂ１，Ｂ２，Ｂ３のＮ系に正常クロック周波数ｆ０に対して周波数偏差「Δｆ／ｆ０＝１．０９×１０−９」の変動が与えられたとする。
【００２５】
図２４に時刻８，０００秒から１２，０００秒までの各局の制御データのＭＴＩＥ（単位：ｎｓｅｃ）の変化を示す。局Ａの制御データのＭＴＩＥは閾値１０μｓｅｃ未満が維持される。時刻９，６００秒で下位局Ｂ１，Ｂ２，Ｂ３の周波数制御データ監視部２８はＭＴＩＥが閾値１０μｓｅｃとなったことを検出し、制御データの警報「ＥＭＥＲＧＥＮＣＹ」を発出し、Ｅ系入力クロックは正常なのでクロック従属元をＥ系に切り替えるよう切替信号を入力切替部２５に送信し、入力切替部２５はクロック従属元をＥ系に切り替える。
【００２６】
この場合、局Ｂ１，Ｂ２，Ｂ３の出力は、すぐに回復する訳ではないので、下位局Ｃ１，Ｃ２，Ｃ３のＭＴＩＥは時刻９，８００秒で閾値１０μｓｅｃとなり、クロック従属元はＥ系に切り替わる。つまり、図２５に示すように、下位局Ｂ１，Ｂ２，Ｂ３及びその下位局Ｃ１，Ｃ２，Ｃ３でクロック入力元がＮ系からＥ系に切り替えられ、各局で異常調査等の保守対応がなされる。網的に見れば、そもそもの原因である局Ａで従属元の切替、クロック従属元の異常調査等の保守対応をすればよいのであるが、従来技術では、網全体を見渡しての網異常対処は不可能である。
【００２７】
以上説明したように、ある局Ａに周波数変動が与えられた場合、この局Ａのみでなく、その下位に属する局（さらには、その下位に属する局）でもクロック入力元をＮ系からＥ系に変更するケースが有る。また、局Ａに周波数変動が与えられたにも係らず、局Ａはクロック入力元としてＮ系をそのまま維持し、下位に属する局（さらには、その下位に属する局）においてクロック入力元をＮ系からＥ系に変更するケースが有る。これらケースについては、網的に見れば、そもそもの原因である局Ａで従属元の切替、クロック従属元の異常調査等の保守対応をすればよいのであるが、従来技術では、網全体を見渡しての網異常対処は不可能であった。
【００２８】
本発明は、このような事情に鑑みなされたものであり、本発明の目的は、ネットワーク内の或る局においてクロックの周波数変動（周波数精度の劣化）が生じる場合において、当該局のみならず、その下位局、さらにその下位局など、階層的に周波数精度の劣化が生じる場合に、各局個別にクロック従属元の切替、異常解析を行うのではなく、網全体を見渡し、より少ない局での異常解析、クロック従属元の切替（または切戻）を行うことができる、クロック供給システム、クロック供給装置、網同期クロック管理装置、およびコンピュータプログラムを提供することにある。
【課題を解決するための手段】
【００２９】
本発明は、ネットワーク内の各局に設置されると共に、ネットワーク側から伝送路を介して通常系であるＮ系または予備系であるＥ系の入力クロックを受信し、該入力クロックに同期した出力クロックを生成して前記伝送路に出力するクロック供給装置と、前記ネットワーク内の各局のクロック供給装置から、入力クロックおよび出力クロックの周波数精度の劣化情報を警報として前記ネットワークを介して受信する網同期クロック管理装置とで構成されるクロック供給システムであって、前記各局内のクロック供給装置は、前記入力クロックおよび出力クロックの予め設定された周波数からの誤差を計測すると共に、前記誤差が所定の閾値範囲を超えた場合に、警報を出力し前記網同期クロック管理装置に送信する周波数精度計測部と、前記網同期クロック管理装置からクロック従属元の切替えを指示する制御信号を受信し、出力クロックを生成するためのクロック従属元をＮ系入力クロックからＥ系入力クロックへ、またはＥ系入力クロックからＮ系入力クロックに、さらには自走状態へと使用するクロックを切り替える入力切替部と、を備え、前記網同期クロック管理装置は、ネットワーク内での各局のクロック同期の従属関係における上位、下位の関係を記憶するデータベースと、前記ネットワーク内の各局のクロック供給装置から送信される前記警報を受信する警報収集部と、前記警報収集部によりネットワーク内の任意の局から前記警報を受信した場合に、前記データベースを参照し、警報を出力した局である警報発出局の上位局と、当該警報発出局の下位局群とにおける警報の出力状態を検出し、所定の規則に従いクロック従属元を切り替えるべき局を判定する評定部と、前記評定部における判定結果に応じて、クロック従属元を切り替えるべき局に対してクロック従属元の切替信号を制御信号として出力する制御部とを備えることを特徴とする。
【００３０】
また、本発明のクロック供給システムは、前記網同期クロック管理装置内の評定部は、  前記警報収集部により、ネットワーク内の任意の局から前記警報を受信した場合に、警報を出力した局である警報発出局の上位局と、当該警報発出局の下位局群と、当該警報発出局の上位局に従属する下位局群とにおける警報の出力状況を検出し、所定の規則に従いクロック従属元を切り替えるべき局を判定することを特徴とする。
【００３１】
また、本発明のクロック供給システムは、前記クロック供給装置内の入力切替部は、前記網同期クロック管理装置から出力される制御信号に応じて、クロック従属元をＮ系からＥ系に切り替える機能と、クロック従属元をＥ系からＮ系に切り替える機能と、クロック従属元をＮ系従属から自走状態に切り替える機能と、クロック従属元をＥ系従属から自走状態に切り替える機能と、クロック従属元を自走状態からＮ系に切り戻す機能と、クロック従属元を自走状態からＥ系に切り戻す機能と、を備えることを特徴とする。
【００３２】
また、本発明のクロック供給システムは、前記網同期クロック管理装置内には、所定の時間を計数し前記警報が継続して出力されていることを判定するための第１のタイマを有し、前記評定部は、前記ネットワーク内の任意の局で警報が発生した場合に、警報を出力した局である警報発出局の上位局からの警報の出力がないこと検出して、当該警報発出局に対し前記第１のタイマの計数動作を開始させる機能と、前記警報発出局の上位局及び下位局群から前記警報の出力が検出されない状態において、前記第１のタイマの計数値が予め設定した設定値と一致した場合に、前記警報発生局に対してクロック従属元の変更を要求する制御信号を前記制御部を介して出力する機能と、前記警報発出局の上位局からの警報の出力が検出されず、かつ当該警報発出局の下位局群のいずれかの局からの警報の出力が検出される状態において、前記第１のタイマの計数値が予め設定した設定値と一致した場合に、前記警報発出局のクロック従属元の変更を要求する制御信号を前記制御部を介して出力する機能と、を備えることを特徴とする。
【００３３】
また、本発明のクロック供給システムは、前記網同期クロック管理装置内には、前記第１のタイマよりも短い時間を計数する第２のタイマをさらに備え、前記評定部は、前記ネットワーク内の任意の局で警報が発生した場合に、警報を出力した局である警報発出局に対して前記第１のタイマの計数動作を開始させる機能と、前記第１のタイマの計数動作中であって、かつ前記警報発出局の上位局及び下位局群からの警報の出力が検出されない状態において、前記第１のタイマが予め設定した計数値に到達した場合に、前記警報発出局のクロック従属元の変更を要求する制御信号を前記制御部を介して出力する機能と、前記第１のタイマの計数動作中であって、かつ前記警報発出局の上位局からの警報の出力が検出されず、かつ前記警報発出局の下位局群のいずれかの局からの警報の出力が検出される状態において、前記第２のタイマを動作させると共に、前記第２のタイマの動作中に前記第１のタイマが予め設定した計数値に到達した場合、または、前記第１のタイマの動作中に前記第２が予め設定した計数値に到達した場合に、前記警報発出局のクロック従属元の変更を要求する制御信号を前記制御部を介して出力する機能と、を備えることを特徴とする。
【００３４】
また、本発明のクロック供給システムは、前記評定部は、前記警報発出局に加えて、該警報発出局の上位局に従属する下位局群のいずれかの局に警報を出力する局がある場合には、該警報発出局の上位局に対しクロック従属元の変更を要求する制御信号を前記制御部を介して出力する機能を、さらに備えることを特徴とする。
【００３５】
また、本発明のクロック供給システムは、前記網同期クロック管理装置内の前記評定部がクロック従属元を切り替えるべき局を判定する際、警報発出局から警報を受信した場合に、当該警報発出局を初期状態である状態１−１から、当該警報発出局と、当該警報発出局の上位局および下位局群と、当該警報発出局の上位局に従属する下位局群とを認識する状態である状態２−１に遷移させ、前記状態２−１において、当該警報発出局の上位局から警報が出力されていないことを検出した場合に、当該警報発出局に対し前記第１のタイマの計数を開始させる状態２−２に遷移させ、前記状態２−２において、前記第１のタイマの作動中に、上位局からの警報の出力が検出されず、かつ当該警報発出局の下位局群のいずれかの局からの警報の出力が検出される場合に、当該警報発出局を状態２−２から状態３−１に遷移させ、前記状態２−２において、当該警報発出局の上位局および下位局群からの警報が出力されない状態において、前記第１のタイマが予め設定した計数値に到達した場合に、当該警報発出局を前記状態２−２から状態４−１に遷移させ、前記状態３−１において、第２のタイマの計数動作を開始させ、前記警報発出局の上位局からの警報が出力が検出されず、かつ当該警報発出局の下位局群のいずれかの局からの警報の出力が検出される状態において、前記第２のタイマの計数動作中に前記第１のタイマが予め設定した計数値に到達した場合、または、前記第１のタイマの計数動作中に、前記第２のタイマが予め設定した計数値に到達した場合に、当該警報発出局を状態３−１から状態４−１に遷移させ、前記状態４−１において、前記第１のタイマおよび第２のタイマの動作を停止させると共に、前記警報発出局に対してクロック従属元の切替信号を前記制御部を介して出力すると共に、該状態４−１において、当該警報発出局からの警報の出力が行われなくなったことを検出した場合に、当該警報発出局を、状態４−１から状態５−１に遷移させ、前記状態５−１において、前記第１のタイマの計数動作を開始させ、該第１のタイマが予め設定した計数値に到達した時、または該第１のタイマの計数動作中に前記警報発出局の下位局群からの警報の出力がなくなったことを検出した時に、当該警報発出局を、状態５−１から前記初期状態１−１に遷移させる、ことを特徴とする。
【００３６】
また、本発明のクロック供給システムは、前記警報発出局に加えて、当該警報発出局の上位局に従属する下位局群に警報を出力する局がある場合において、前記評定部が、当該警報発出局を含む前記上位局に従属する下位局群の１つが最初に前記状態５−１となった場合に、最初に前記状態５−１になった局に対する前記第１のタイマの計数動作中に、当該警報発出局を含む他の下位局群の中に前記状態４−１または状態５−１に存在する局があるとき、当該警報発出局の上位局に対してクロック従属元を切り替える制御信号を前記制御部を介して出力することを特徴とする。
【００３７】
また、本発明のクロック供給装置は、ネットワーク内の各局に設置されると共に、ネットワーク側から伝送路を介して通常系であるＮ系または予備系であるＥ系の入力クロックを切り替えて受信し、該入力クロックに同期した出力クロックを生成して前記伝送路に出力するクロック供給装置と、前記ネットワーク内の各局のクロック供給装置から、入力クロックおよび出力クロックの周波数精度の劣化の情報を警報として前記ネットワークを介して受信し、警報を出力する局がある場合に、当該警報発出局の上位局および下位局群と、前記上位局に従属する下位局群とにおける警報の出力状況を検出し、所定の規則に従いクロック従属元を切り替えるべき局を判定する網同期クロック管理装置とで構成されるクロック供給システムにおける前記クロック供給装置であって、前記入力クロックおよび出力クロックの予め設定された周波数からの誤差を計測すると共に、前記誤差が所定の閾値範囲を超えた場合に、警報を出力し前記網同期クロック管理装置に送信する周波数精度計測部と、前記網同期クロック管理装置からクロック従属元の切替えを指示する制御信号を受信し、出力クロックを生成するためのクロック従属元をＮ系入力クロックからＥ系入力クロックへ、またはＥ系入力クロックからＮ系入力クロックに、さらには自走状態へと切り替える入力切替部と、を備えることを特徴とする。
【００３８】
また、本発明の網同期クロック管理装置は、ネットワーク内の各局に設置されると共に、ネットワーク側から伝送路を介して通常系であるＮ系または予備系であるＥ系の入力クロックを切り替えて受信し、該入力クロックに同期した出力クロックを生成して前記伝送路に出力すると共に、前記入力クロックおよび出力クロックの周波数精度を計測し、前記周波数精度が劣化した場合に、周波数精度の劣化情報を警報として出力するクロック供給装置と、前記ネットワーク内の各局のクロック供給装置から前記警報をネットワークを介して受信する網同期クロック管理装置とで構成されるクロック供給システムにおける前記網同期クロック管理装置であって、ネットワーク内の各局の上位、下位のクロック同期の従属関係を記憶するデータベースと、前記ネットワーク内の各局のクロック供給装置から送信される警報を受信して収集する警報収集部と、前記警報収集部によりネットワーク内の任意の局から前記警報を受信した場合に、前記データベースを参照し、警報を出力した局である警報発出局の上位局と下位局群と、前記上位局に従属する下位局群とにおける警報の出力状況を検出し、所定の規則に従いクロック従属元を切り替えるべき局を判定する評定部と、前記評定部における判定結果に応じて、クロック従属元を切り替えるべき局に対してクロック従属元の切替信号を制御信号として出力する制御部と、を備えることを特徴とする。
【００３９】
また、本発明のコンピュータプログラムは、ネットワーク内の各局に設置されると共に、ネットワーク側から伝送路を介して通常系であるＮ系または予備系であるＥ系の入力クロックを切り替えて受信し、該入力クロックに同期した出力クロックを生成して前記伝送路に出力するクロック供給装置と、前記ネットワーク内の各局のクロック供給装置から、入力クロックおよび出力クロックの周波数精度の劣化の情報を警報として前記ネットワークを介して受信し、警報を出力する局がある場合に、当該警報発出局の上位局および下位局群と、前記上位局に従属する下位局群とにおける警報の出力状況を検出し、所定の規則に従いクロック従属元を切り替えるべき局を判定する網同期クロック管理装置とで構成されるクロック供給システムにおける前記クロック供給装置内のコンピュータに、前記入力クロックおよび出力クロックの測定された周波数と、予め設定された周波数との誤差が、所定の閾値範囲を超えた場合に、警報を出力し前記網同期クロック管理装置に送信する周波数精度計測手順と、前記網同期クロック管理装置からクロック従属元の切替えを指示する制御信号を受信し、出力クロックを生成するためのクロック従属元をＮ系入力クロックからＥ系入力クロックへ、またはＥ系入力クロックからＮ系入力クロックに、さらには自走状態へと切り替える入力切替手順と、を実行させるためのプログラムである。
【００４０】
また、本発明のコンピュータプログラムは、ネットワーク内の各局に設置されると共に、ネットワーク側から伝送路を介して通常系であるＮ系または予備系であるＥ系の入力クロックを切り替えて受信し、該入力クロックに同期した出力クロックを生成して前記伝送路に出力すると共に、前記入力クロックおよび出力クロックの測定された周波数と、予め設定された周波数との誤差が、所定の閾値範囲を超えた場合に、警報を出力するクロック供給装置と、前記ネットワーク内の各局のクロック供給装置から前記警報をネットワークを介して受信する網同期クロック管理装置とで構成されるクロック供給システムにおける前記網同期クロック管理装置内のコンピュータに、ネットワーク内での各局のクロック同期の従属関係における上位、下位の関係をデータベースに記憶させる手順と、前記ネットワーク内の各局のクロック供給装置から送信される警報をする警報収集手順と、前記警報収集手順によりネットワーク内の任意の局から前記警報を受信した場合に、上記データベースを参照し、警報を出力した局である警報発出局の上位局と下位局群と、前記上位局に従属する下位局群とにおける警報の出力状況を検出し、所定の規則に従いクロック従属元を切り替えるべき局を判定する評定手順と、前記評定手順による判定結果に応じて、クロック従属元を切り替えるべき局に対してクロック従属元の切替信号を制御信号として出力する制御手順と、を実行させるためのプログラムである。
【発明の効果】
【００４１】
本発明のクロック供給システムにおいては、ネットワーク内の各局のクロック供給装置は、入力クロックおよび出力クロックの周波数精度を計測し、周波数精度が劣化した場合に、警報として網同期クロック管理装置に送信する。網同期クロック管理装置は、ネットワーク内の任意の局から警報を受信した場合に、当該警報発出局の上位局と、当該警報発出局の下位局群と、における警報の発出状態を検出し、所定の規則に従いクロック従属元を切り替えるべき局を判定し、この局にクロック従属元の切替信号（制御信号）を出力する。クロック供給装置は、網同期クロック管理装置から送信される切替信号により、クロック従属元をＮ系入力クロックからＥ系入力クロックへ、またはＥ系入力クロックからＮ系入力クロックに、さらには自走状態へと切り替える。
これにより、ネットワーク内の或る局においてクロックの周波数変動（周波数精度の劣化）が生じた場合において、その局のみならず、その下位局と、さらにその下位局など、階層的に周波数精度の劣化が生じる場合に、各局個別にクロック従属元の切替、異常解析を行うのではなく、網全体を見渡し、より少ない局での異常解析、クロック従属元の切替えまたは切戻しを行うことができる。
【００４２】
また、本発明のクロック供給システムにおいては、網同期クロック管理装置内の評定部は、ネットワーク内の任意の局から警報を受信した場合に、警報を発出した局である警報発出局の上位局と、下位局群と、当該警報発出局の上位局に従属する下位局群とにおける警報の発出状態を検出し、所定の規則に従いクロック従属元を切り替えるべき局を判定する。
これにより、クロックの周波数精度劣化のそもそもの原因である上位局から警報が発出されず、その下位の局から警報が発出される場合において、そもそもの原因である上位局におけるクロック従属元の切り替えを行うことができる。
【００４３】
また、本発明のクロック供給システムにおいては、クロック供給装置は、網同期クロック管理装置から出力される制御信号（切替信号）に応じて、クロック従属元をＮ系からＥ系への切り替えと、Ｅ系からＮ系への切り替えと、Ｎ系から自走状態への切り替えと、Ｅ系から自走状態への切り替え、自走状態からＮ系への切り戻し、自走状態からＥ系への切り戻しとを、行えるように構成される。
これにより、クロック従属元を切り替えるべきと判定された局において、Ｎ系またはＥ系のクロックの受信状態に応じて、クロック従属元を切り替えることができる。
【００４４】
また、本発明のクロック供給システムにおいては、網同期クロック管理装置内には、警報が継続して出力されていることを判定するためのタイマを有し、評定部は、ネットワーク内の任意の局で警報が発生した場合に、当該警報発出局の上位局で警報の発出がないこと検出して、当該警報発出局に対してタイマの計数動作を開始させ、当該警報発出局の上位局及び下位局群からの警報の発出が検出されずにタイマが予め設定した計数値に到達した場合に、当該警報発生局に対してクロック従属元の変更を要求する制御信号を出力する。また、当該警報発出局の上位局からの警報が検出されず、当該警報発出局の下位局群からの警報の発出が検出された場合に、タイマが予め設定した計数値に到達した後に、当該警報発出局のクロック供給元の変更を要求する制御信号を出力する。
これにより、警報発出局、当該警報発出局の上位局、および当該警報発出局の下位局群における警報発出状態をタイマにより確実に検出した後に、当該警報発出局におけるクロック従属元の切り替えを行うことができる。
【００４５】
また、本発明のクロック供給システムにおいては、網同期クロック管理装置は、所定の時間を計数する第１のタイマと、第１のタイマよりも短い時間を計数する第２のタイマとを備え、警報発出局に対し第１のタイマを動作させ、第１のタイマの動作中であって、かつ当該警報発出局の上位局及び下位局群からの警報の発出が検出されない状態において、第１のタイマが予め設定した計数値に到達した後に当該警報発出局のクロック従属元の変更を要求する制御信号を出力する。また、第１のタイマの動作中であって、かつ当該警報発出局の上位局からの警報の発出が検出されず、下位局群のいずれかの局からの警報の発出が検出された状態において、第２のタイマを動作させると共に、第２のタイマの計数動作中に第１のタイマが予め設定した計数値に到達した場合、または、第１のタイマの計数動作中に第２のタイマが予め設定した計数値に到達した場合に、当該警報発出局のクロック従属元の変更を要求する制御信号を出力する。
これにより、警報発出局、当該警報発出局の上位局、および当該警報発出局の下位局群における警報発出状態をタイマにより確実に検出した後に、当該警報発出局におけるクロック従属元の切り替えを行うことができる。
【００４６】
また、本発明のクロック供給システムにおいては、網同期クロック管理装置の評定部は、警報発出局の上位局に従属する下位局群のいずれかの局に警報を発出する局がある場合には、当該警報発出局の上位局に対しクロック従属元の変更を要求する制御信号を出力する。
これにより、周波数精度劣化のそもそもの原因である上位局から警報が発出されず、その下位の局から警報が発出される場合において、そもそもの原因である上位局におけるクロック従属元の切り替えを行うことができる。
【００４７】
また、本発明のクロック供給システムにおいては、網同期クロック管理装置の評定部は、クロック従属元を切り替えるべき局を判定する評定アルゴリズムとして、警報発出局から警報を受信した場合に、当該警報発出局を初期状態１−１から状態２−１に遷移させると共に、以後、当該警報発出局の上位局および下位局群の警報の発出状況に応じて、当該警報発出局を状態２−２、状態３−１、状態４−１へと遷移させ、状態４−１において当該警報発出局に対してクロック従属元の切替信号を出力する。
これにより、警報発出局から警報を受信した場合に、当該警報発出局の上位局および下位局群の警報の発出状況を判定しながら、当該警報発出局に対してクロック従属元の切替信号を出力することができる。
【００４８】
また、本発明のクロック供給システムにおいて、網同期クロック管理装置の評定部は、警報発出局に加えて、当該警報発出局の上位局に従属する下位局群に警報を発出する局がある場合において、当該警報発出局を含む下位局群の１つが最初に状態５−１となった場合に、最初に前記状態５−１になった局に対する第１のタイマの計数動作中に、当該警報発出局を含む他の下位局群に状態４−１または状態５−１に存在する局があるときは、当該警報発出局の上位局に対しクロック従属元を切り替える制御信号を出力する。
これにより、クロックの周波数精度の劣化のそもそもの原因である局から警報が発出されず、その下位の局から警報が発出される場合において、そもそもの原因である局におけるクロック従属元の切り替えを行うことができる。
【００４９】
また、本発明のクロック供給装置においては、ネットワーク内の各局のクロック供給装置は、入力クロックおよび出力クロックの周波数精度を計測し、周波数精度が劣化した場合に、警報として網同期クロック管理装置に送信する。また、クロック供給装置は、網同期クロック管理装置から送信される制御信号（切替信号）により、クロック従属元をＮ系入力クロックからＥ系入力クロックへ、またはＥ系入力クロックからＮ系入力クロックに、さらには自走状態へと切り替える。
これにより、ネットワーク内の或る局においてクロックの周波数変動（周波数精度の劣化）が生じた場合において、その局のみならず、その下位局と、さらにその下位局など、階層的にクロックの周波数精度の劣化が生じる場合に、各局個別にクロック従属元の切替、異常解析を行うのではなく、網全体を見渡し、より少ない局での異常解析、クロック従属元の切替または切戻を行うことができる。
【００５０】
また、本発明の網同期クロック管理装置は、ネットワーク内の任意の局から警報を受信した場合に、当該警報発出局の上位局および下位局群と、当該警報発出局の上位局に従属する下位局群とにおける警報の発出状況を検出し、所定の規則に従いクロック従属元を切り替えるべき局を判定し、この局にクロック従属元の切替信号（制御信号）を出力する。クロック供給装置は、網同期クロック管理装置から送信される切替信号により、クロック従属元をＮ系入力クロックからＥ系入力クロックへ、またはＥ系入力クロックからＮ系入力クロックに、さらには自走状態へと切り替える。
これにより、ネットワーク内の或る局においてクロックの周波数変動（周波数精度の劣化）が生じた場合において、その局のみならず、その下位局と、さらにその下位局など、階層的にクロックの周波数精度の劣化が生じる場合に、各局個別にクロック従属元の切替、異常解析を行うのではなく、網全体を見渡し、より少ない局での異常解析、クロック従属元の切替または切戻を行うことができる。
【図面の簡単な説明】
【００５１】
【図１】本発明の実施の形態に係るクロック供給システムの第１の構成を示す図である。
【図２】本発明の実施の形態に係るクロック供給システムの第２の構成を示す図である。
【図３】網同期クロック管理装置の構成を示す図である。
【図４】クロック階層番号の定義の例を示す図である。
【図５】階層「ｎ」の各局の呼称の定義の例を示す図である。
【図６】上位局と下位局との階層番号の対応を示す図である。
【図７】網同期クロック管理装置における評定アルゴリズムを示す図である。
【図８】網同期クロック管理装置における評定アルゴリズムの変形例を示す図である。
【図９】本発明による評定アルゴリズムを使用する第１の具体例（前半）を説明するための図である。
【図１０】第１の具体例（後半）を説明するための図である。
【図１１】本発明における従属元切替対象局の第１の例を示す図である。
【図１２】本発明による評定アルゴリズムを使用する第２の具体例を説明するための図である。
【図１３】本発明における従属元切替対象局の第２の例を示す図である。
【図１４】網同期方式による網同期について説明するための図である。
【図１５】従来のネットワーク内のノード（局）の構成例を示す図である。
【図１６】従来のクロック供給装置の構成例を示す図である。
【図１７】従来の周波数制御データ監視部付きクロック供給装置の構成を示す図である。
【図１８】従来のＭＴＩＥ計測部及び周波数制御データ監視部付きクロック供給装置の構成を示す図である。
【図１９】Ｎ系及びＥ系入力ＭＴＩＥ計測部及び出力ＭＴＩＥ計測部付きクロック供給装置の構成を示す図である。
【図２０】局Ａの入力点に周波数変動が発生する場合のＭＴＩＥの出力例を示す図である。
【図２１】局Ａと局Ｂ，Ｂ２，Ｂ３と局Ｃ１，Ｃ２，Ｃ３との階層関係を示す図である。
【図２２】局Ａの入力点に周波数変動が発生する場合の局Ａと局Ｂ１，Ｂ２，Ｂ３と局Ｃ１，Ｃ２，Ｃ３におけるＭＴＩＥの出力例を示す図である。
【図２３】従属元切替対象局の第１の例を示す図である。
【図２４】局Ａの入力点にワンダによる周波数変動が発生する場合の局Ｂ１，Ｂ２，Ｂ３と局Ｃ１，Ｃ２，Ｃ３におけるＭＴＩＥの出力例を示す図である。
【図２５】従属元切替対象局の第２の例を示す図である。
【図２６】Ｎ系クロック従属時の周波数制御データ監視部から出力される切替信号の送信論理を示す図である。
【発明を実施するための形態】
【００５２】
以下、本発明の実施の形態を添付図面を参照して説明する。
【００５３】
［本発明のクロック供給システムの構成の説明］
図１は、本発明の実施の形態に係る第１のクロック供給システム１の構成を示す図である。図１に示すクロック供給システム１は、クロック供給装置２１と網同期クロック管理装置１００とで構成される。
【００５４】
図１に示すクロック供給装置２１の構成は、図１８に示すクロック供給装置２１Ｃと同様に、Ｎ系クロック受信部２２、Ｅ系クロック受信部２３、入力切替部２５、発振器部２６、分配部２７、Ｎ系入力ＭＴＩＥ計測部３１、Ｅ系入力ＭＴＩＥ計測部３２、および周波数制御データ監視部２８で構成される。このため、同一の構成部分には同一の符号を付し、重複する説明は省略する。なお、入力断監視部２４（図１６を参照）については、図１８と同様に、省略して示されている。
【００５５】
クロック供給装置２１内のＮ系入力ＭＴＩＥ計測部３１、Ｅ系入力ＭＴＩＥ計測部３２、および周波数制御データ監視部２８から発出される各ＭＴＩＥ警報はネットワーク（ＤＣＮ網）４１を通じて、網同期クロック管理装置１００に送信される。また、入力切替部２５はネットワーク４１を通じて、網同期クロック管理装置１００からの制御信号（クロック従属元切り替え信号）を受信する。
【００５６】
図１に示すクロック供給装置２１では、図１８に示すクロック供給装置２１Ｃと異なり、周波数制御データ監視部２８は入力切替部２５への切替信号を出力しない。入力切替部２５は、クロック従属元を、網同期クロック管理装置１００からの制御信号に応じて、Ｎ系従属、Ｅ系従属、自走状態を選択する。Ｎ系入力ＭＴＩＥ計測部３１、Ｅ系入力ＭＴＩＥ計測部３２、周波数制御データ監視部２８は前述の特許文献１の従来技術と同様の方法で、１０，０００秒間でのＭＴＩＥを算出し、閾値１０μｓｅｃを超過した場合、ＭＴＩＥ警報ＥＭＥＲＧＥＮＣＹ（以下単に、「ＭＴＩＥ警報」または「警報」とも呼ぶ）を発出し、閾値内の場合はＭＴＩＥ警報の発出を停止する。
【００５７】
なお、図２は、本発明の第２のクロック供給システム２の構成を示す図である。図２に示すクロック供給システム２が、図１に示すクロック供給システム１と構成上異なるのは、図１に示すクロック供給装置２１に代えて、図２に示すクロック供給装置２１Ａを使用する点である。他の構成は図１に示すクロック供給システム１と同様である。
【００５８】
図２に示すクロック供給装置２１Ａは、図１９に示すクロック供給装置２１Ｄと同様に、周波数制御データ監視部２８に代えて、出力ＭＴＩＥ計測部３３を使用している。すなわち、Ｎ系入力クロック、Ｅ系入力クロック、出力クロック全ての監視についてＧｐＳからの信号を基準とする例である。
【００５９】
また、図３は、本発明のクロック供給システムにおける網同期クロック管理装置１００の構成を示す図である。図３に示すように、網同期クロック管理装置１００は、各局のクロック供給装置２１から出力されるＭＴＩＥ警報を収集し各局におけるＭＴＩＥ警報の発出を検出する警報収集部１０１を備えている。
【００６０】
また、網同期クロック管理装置１００は、クロック従属元の切替を行うべき局を所定の規則（評定アルゴリズム）に従い判定する評定部１０２と、１０００秒の時間を計測し警報発出局から出力されるＭＴＩＥ警報の継続時間を判定するためのタイマ１０００と、２００秒の時間を計測し警報発出局の下位局群から出力されＭＴＩＥ警報の継続時間を判定するためのタイマ２００とを有している。
【００６１】
さらに、網同期クロック管理装置１００は、クロック従属元の切替を行うべき局に制御信号（切替信号）を送信する制御部１０３と、ネットワーク内の各局の上位、下位関係（クロック同期の従属関係）を記憶するデータベース１０４を備えている。また、このデータベース１０４には、ネットワーク内の各局（クロック供給装置２１）において行われた、クロック従属元の切替えおよび切戻しの履歴情報が保存されている。
【００６２】
なお、クロック供給装置２１，２１Ａ、および網同期クロック管理装置１００には、周辺機器として端末（図示せず）が接続され、この端末には入力装置、表示装置等（いずれも表示せず）が接続されている。そして、クロック供給装置２１おいて、クロック従属元の切替えが行われる際には、網同期クロック管理装置１００の制御部１０３からクロック供給装置２１の端末に、その旨が通知され表示される。また、クロック供給装置２１の端末は、網同期クロック管理装置１００内の制御部１０３を通して、データベース１０４に保存されたクロック従属元の切替えおよび切戻しの履歴情報を受信して表示する機能を備えている。
【００６３】
また、図１に示すクロック供給システム１において、前述のクロック供給装置内の周波数精度計測部はＮ系ＭＴＩＥ計測部３１、Ｅ系ＭＴＩＥ計測部３２、および周波数制御データ監視部２８が相当する。また、入力切替部は入力切替部２５が相当する。また、前述の警報収集部は、図３に示す網同期クロック管理装置１００内の警報収集部１０１が相当し、前述の制御部は、制御部１０３が相当する。また、前述の警報は、ＭＴＩＥ警報が相当する。上記周波数精度計測部は、予め設定されている周波数を中心とした周波数の＋及び−側の誤差範囲を超えた場合、周波数精度が劣化したとする。
【００６４】
そして、図１に示すクロック供給システム１および図３に示す網同期クロック管理装置１００に示すように、クロック供給システム１は、ネットワーク内の各局に設置されると共に、ネットワーク側から伝送路を介して通常系であるＮ系または予備系であるＥ系の入力クロックを受信し、該入力クロックに同期した出力クロックを生成して伝送路に出力するクロック供給装置２１と、ネットワーク内の各局のクロック供給装置２１から、入力クロックおよび出力クロックの周波数精度の劣化情報をＭＴＩＥ警報としてネットワークを介して受信する網同期クロック管理装置１００とで構成されるクロック供給システムであって、各局内のクロック供給装置２１は、入力クロックおよび出力クロックの周波数精度を計測すると共に、周波数精度が所定の閾値よりも劣化した場合に、ＭＴＩＥ警報を発出し網同期クロック管理装置１００に送信する周波数精度計測部（Ｎ系ＭＴＩＥ計測部３１，Ｅ系ＭＴＩＥ計測部３２，および周波数制御データ監視部２８）と、網同期クロック管理装置１００からクロック従属元の切替えを指示する制御信号を受信し、出力クロックを生成するためのクロック従属元をＮ系入力クロックからＥ系入力クロックへ、またはＥ系入力クロックからＮ系入力クロックに、さらには自走状態へと切り替える入力切替部２５と、を備え、網同期クロック管理装置１００は、ネットワーク内の各局の上位、下位のクロック同期の従属関係を記憶するデータベース１０４と、ネットワーク内の各局のクロック供給装置２１から送信されるＭＴＩＥ警報を受信して収集する警報収集部１０１と、警報収集部１０１によりネットワーク内の任意の局から警報を受信した場合に、データベース１０４を参照し、警報を発出した局である警報発出局の上位局と、当該警報発出局の下位局群とにおける警報の発出状態を検出し、所定の規則に従いクロック従属元を切り替えるべき局を判定する評定部１０２と、評定部１０２における判定結果に応じて、クロック従属元を切り替えるべき局に対してクロック従属元の切替信号を制御信号として出力する制御部１０３と、を備える。
これにより、ネットワーク内の或る局においてクロックの周波数変動（周波数精度の劣化）が生じた場合において、当該局のみならず、その下位局、さらにその下位局など、階層的にクロックの周波数精度の劣化が生じる場合に、各局個別にクロック従属元の切替、異常解析を行うのではなく、網全体を見渡し、より少ない局での異常解析、クロック従属元の切替（または切戻）を行うことができる。
【００６５】
また、網同期クロック管理装置１００内の評定部１０２は、警報収集部１０１により、ネットワーク内の任意の局から警報を受信した場合に、警報を発出した局である警報発出局の上位局と、当該警報発出局の下位局群と、当該警報発出局の上位局に従属する下位局群とにおける警報の発出状況を検出し、所定の規則に従いクロック従属元を切り替えるべき局を判定する。
これにより、クロックの周波数精度劣化のそもそもの原因である上位局から警報が発出されず、その下位の局から警報が発出される場合において、そもそもの原因である上位局におけるクロック従属元の切り替えを行うことができる。
【００６６】
［本発明のクロック供給システムの動作の説明］
先ず、以下の説明において使用される用語について、予め定義または説明をしておく。
図４に示すように、従属同期方式を採用している網同期の階層にクロック階層としての番号をつける。ｎは、０及び自然数である。階層「０」はマスタクロックを設置している最上位局を表す。
【００６７】
また、図５は各局の呼称について説明する図である。クロック階層「ｎ」にｋ局存在する場合、それらの局を「局（ｎ，ｓ１ｎ），局（ｎ，ｓ２ｎ），・・・，局（ｎ，ｓｋｎ）」と表記する。「局（ｎ，ｓ１ｎ），局（ｎ，ｓ２ｎ），・・・，局（ｎ，ｓｋｎ）」の中で説明上、特定の局を表す場合、例えば局（ｎ，ｓ２ｎ）に注目したい場合、その局を局（ｎ，ｐｎ)と表記する。ｐの添え字ｎは階層番号を表す。
【００６８】
クロック上位局、下位局の表現として、局（ｎ，ｐｎ)にクロックを供給している上位局を局（ｎ−１，ｐｎ−１（ｐｎ））と表記し、局（ｎ，ｐｎ)がクロックを供給している下位局群を局（ｎ＋１，ｓｉｎ＋１（ｐｎ）)，（ｉ＝１，２，３・・・)と表記し、局（ｎ，ｐｎ)のクロック上位局（ｎ−１，ｐｎ−１（ｐｎ））がクロックを供給している下位局群を局（ｎ，ｓｉｎ（ｐｎ−１（ｐｎ））），（ｉ＝１，２，３・・・)と表記する。
【００６９】
図６は、「ｉ＝１，２，３」の場合について説明したものであり、前記局（ｎ，ｐｎ）は上位局（ｎ−１，ｐｎ−１（ｐｎ））の下位局群（ｎ，ｓｉｎ（ｐｎ−１（ｐｎ）））の「ｉ＝２」の局であるケースである。
【００７０】
これら上位局、下位局、下位局群が指定されるタイミングは局（ｎ，ｐｎ)が、後述する図７に示す状態１−１から状態２−１に変化した時刻ｔａである。つまり、局（ｎ−１，ｐｎ−１（ｐｎ））とは局（ｎ，ｐｎ)が状態１−１から状態２−１に変化した時刻ｔａで局（ｎ，ｐｎ)が現用として従属している局である。
【００７１】
また、局（ｎ＋１，ｓｉｎ＋１（ｐｎ）)，（ｉ＝１，２，３・・・)とは、局（ｎ，ｐｎ)が状態１−１から状態２−１に変化した時刻ｔａで、局（ｎ，ｐｎ)が供給するクロックを現用系従属元としている下位局群である。また、局（ｎ，ｓｉｎ（ｐｎ−１（ｐｎ））），（ｉ＝１，２，３・・・)とは局（ｎ，ｐｎ)が状態１−１から状態２−１に変化した時刻ｔａで、局（ｎ，ｐｎ)のクロック上位局（ｎ−１，ｐｎ−１（ｐｎ））から供給されるクロックを現用系従属元としている下位局群である。これらの上位局下位局の関係は次に状態１−１から状態２−１に遷移する時点まで保持される。ただし、状態１−１、状態２−１等についての説明は後述する。
【００７２】
局（ｎ，ｐｎ)からの制御データＭＴＩＥ警報の受信を論理「１」とし、正常すなわちＭＴＩＥ警報を受信していない状態を論理「０」として、評定部１０２における局（ｎ，ｐｎ)の制御データＭＴＩＥ警報の監視結果を次式で表す。
【００７３】
【数２】
2010288084.tif 000004
【００７４】
また局（ｎ，ｐｎ)が自走状態にあるとき、評定部１０２においては局（ｎ，ｐｎ)の状態を「ＦＲＥＥＲＵＮ（ｐｎ）＝１」と認識し、自走状態ではないとき、つまり上位局に従属している場合、論理「０」と認識する。
【００７５】
次にタイマについて説明する。タイマは、予め設定された設定値としての満了時間１０００秒のタイマ１０００と、予め設定された設定値としての満了時間２００秒のタイマ２００とがある。「Ｔｉｍｅｒ１０００ＡＣＴ（ｐｎ）」は局（ｎ，ｐｎ)にてタイマ１０００の動作を表し、論理「１」がタイマ動作中（計数動作中）、論理「０」がタイマ停止中を表す。「Ｔｉｍｅｒ２００ＡＣＴ（ｐｎ）」は局（ｎ，ｐｎ)にてタイマ２００の動作を表し、論理「１」がタイマ動作中（計数動作中）、論理「０」がタイマ停止中を表す。
【００７６】
また、本資料では計算式を簡略化するため以下の記法を定義する。
【００７７】
【数３】
2010288084.tif 000005
【００７８】
また、データベース１０４には、網上の任意の局（ｎ，ｐｎ)に対して、その上位局情報局（ｎ−１，ｐｎ−１（ｐｎ））及び下位局群情報局（ｎ＋１，ｓｉｎ＋１（ｐｎ）)，（ｉ＝１，２，３・・・)の情報が登録されている。
【００７９】
評定部１０２は、或る局（ｎ，ｐｎ)から制御データＭＴＩＥ警報を受信した場合、その上位局（ｎ−１，ｐｎ−１（ｐｎ））及び下位局群（ｎ＋１，ｓｉｎ＋１（ｐｎ）)，（ｉ＝１，２，３・・・)からの制御データＭＴＩＥ警報の受信状況と合わせて、その局（ｎ，ｐｎ)のクロック供給装置２１でクロック従属元を変更するか否かを評定（判定）する。そして、クロック供給元を変更する必要があると判定した場合、評定部１０２は制御部１０３に、その局（ｎ，ｐｎ)のクロック供給装置２１のクロック従属元を変更するよう切替要求信号（制御信号）を送信する。
【００８０】
制御部１０３は評定部１０２から、切替要求信号を受信すると、データベース１０４における登録情報に基づき、その局（ｎ，ｐｎ)に該当する局に対して、制御信号を送信する。また、制御部１０３は評定部１０２からの切替要求信号とは別に保守者の手動による操作で任意の局に対して、制御信号を送信することができる。
【００８１】
以下、前述の定義、および説明した用語を用いて、網同期クロック管理装置１００の動作を或る局（ｎ，ｐｎ)について説明する。ただし本明細書では論理式「１＋１」はブール代数に従うのではなく、算術和に従う。即ち「１＋１=１」ではなく「１＋１＝２」である。これは「Ａ＋Ｂ＝１」となるのは「Ａ＝１，Ｂ＝０」または「Ａ＝０，Ｂ＝１」のみであることを意味する。
【００８２】
［評定部１０２における評定アルゴリズムの説明］
図７は、本発明のクロック供給システムを構成する網同期クロック管理装置１００の評定部１０２における評定アルゴリズムを示す図である。図７において、四角枠は、動作状態を状態番号により識別して示したものである。状態番号で識別される各四角枠内において、「＜ｎ，Ｐｎ＞」は、前述した以下の式を表している。
【００８３】
【数４】
2010288084.tif 000006
【００８４】
また、「Ｔ＿１０００＿ｎ」は、「Ｔｉｍｅｒ１０００ＡＣＴ（Ｐｎ）」の状態を表し、「Ｔ＿１０００＿ｎ  ＯＮ（ＳＴＡＲＴ＆ＣＯＵＮＴＩＮＧ）」は「Ｔｉｍｅｒ１０００ＡＣＴ（Ｐｎ）＝１」を、「Ｔ＿１０００＿ｎ  ＯＦＦ」は「Ｔｉｍｅｒ１０００ＡＣＴ（Ｐｎ）＝０」を表す。「Ｔ＿２００＿ｎ」は、「Ｔｉｍｅｒ２００ＡＣＴ（Ｐｎ）」の状態を表し、「Ｔ＿２００＿ｎ  ＯＮ（ＳＴＡＲＴ＆ＣＯＵＮＴＩＮＧ）」、「Ｔｉｍｅｒ２００ＡＣＴ（Ｐｎ）＝１」を、「Ｔ＿２００＿ｎ  ＯＦＦ」は、「Ｔｉｍｅｒ２００ＡＣＴ（Ｐｎ）＝０」を表す。
【００８５】
また、図中、矢印上の符号Ｓ１〜Ｓ８及びＳ１１は、後述する遷移条件を表し、Ｓ９およびＳ１０は上位局（ｎ−１，ｐｎ−１（ｐｎ））におけるクロック従属元の切り替え条件を示し、符号「+」「×」は、それぞれ論理和「ＯＲ」、論理積「ＡＮＤ」を表す。
【００８６】
図７を参照して、評定部１０２における局（ｎ，ｐｎ)の初期状態は、図７に示す状態１−１であり、Ｆｌａｇ（０，０）で次式が成立している。すなわち、局（ｎ，ｐｎ)からの制御データＭＴＩＥ警報を受信せず、また、タイマ１０００およびタイマ２００が停止状態にある状態である。
【００８７】
【数５】
2010288084.tif 000007
【００８８】
ある時刻ｔ＝ｔ０で、評定部１０２は局（ｎ，ｐｎ)からの制御データＭＴＩＥ警報を受信すると、制御データＭＴＩＥ警報を受信したことを示す以下の式（１）が成立したことを遷移条件Ｓ２として、局（ｎ，ｐｎ)の状態を状態１−１から状態２−１に遷移させる。
【００８９】
【数６】
2010288084.tif 000008
【００９０】
また、このとき、局（ｎ，ｐｎ)に対する上位局（ｎ−１，ｐｎ−１（ｐｎ））、下位局群（ｎ＋１，ｓｉｎ＋１（ｐｎ）)，（ｉ＝１，２，３・・・)が決定され、かつ局（ｎ，ｐｎ)の上位局（ｎ−１，ｐｎ−１（ｐｎ））に対する下位局群（ｎ，ｓｉｎ（ｐｎ−１（ｐｎ））），（ｉ＝１，２，３・・・)が決定される。そして、上位局（ｎ−１，ｐｎ−１（ｐｎ））の制御データＭＴＩＥ警報の発出状況、タイマ１０００の動作状況及びクロック従属状況がそれぞれ検出される。
【００９１】
なお、式（１）の判定は、局（ｎ，ｐｎ)と、局（ｎ，ｐｎ)の上位局（ｎ−１，ｐｎ−１（ｐｎ））と、上位局に従属する下位局群（ｎ，ｓｉｎ（ｐｎ−１（ｐｎ）））と，（ｉ＝１，２，３・・・)、局（ｎ，ｐｎ)に対する下位局（ｎ＋１，ｓｉｎ＋１（ｐｎ）)，（ｉ＝１，２，３・・・)に対しても行われ、式（１）が成立する場合は、そのぞれの局を状態１−１から状態２−１へ遷移させる。すなわち、複数の局に対する評定処理が同時並行的に行われる。
【００９２】
そして、評定部１０２は状態２−１として認識している局（ｎ，ｐｎ)で、以下に示す式（２）または式（３）が成立した場合を遷移条件Ｓ３として、局（ｎ，ｐｎ)に対するフラグをＦｌａｇ（０，０）からＦｌａｇ（０，１）と変化させ、状態２−１から状態２−２に遷移させる。
【００９３】
【数７】
2010288084.tif 000009
【００９４】
すなわち、上位局（ｎ−１，ｐｎ−１（ｐｎ））が正常であり、この上位局に対するタイマ１０００が作動していない場合、または、上位局（ｎ−１，ｐｎ−１（ｐｎ））が異常であり、かつ自走状態にある場合に、局（ｎ，ｐｎ)を状態２−１から状態２−２に遷移させる。
【００９５】
状態２−２に遷移させると、評定部１０２は局（ｎ，ｐｎ)に対して、タイマ１０００をスタートさせ、上位局（ｎ−１，ｐｎ−１（ｐｎ））と下位局群（ｎ＋１，ｓｉｎ＋１（ｐｎ）)，（ｉ＝１，２，３・・・)における制御データＭＴＩＥ警報の発出状況を検出する。評定部１０２はタイマ１０００動作中に、状態２−２として認識している局（ｎ，ｐｎ)で式（４）が成立した場合、これを遷移条件Ｓ５として、状態２−２から状態３−１に遷移させ、タイマ１０００の動作を継続させたまま、局（ｎ，ｐｎ)に対してタイマ２００を動作させる。
【００９６】
【数８】
2010288084.tif 000010
【００９７】
すなわち、タイマ１０００の作動中に、上位局（ｎ−１，ｐｎ−１（ｐｎ））が正常であり、かつ局（ｎ，ｐｎ)に対する下位局群（ｎ＋１，ｓｉｎ＋１（ｐｎ）)，（ｉ＝１，２，３・・・)の内の少なくとも１つの局が制御データＭＴＩＥ警報を発出する場合は、これを遷移条件Ｓ５として、状態２−２から状態３−１に遷移させる。
【００９８】
また、評定部１０２は、状態２−２として認識している局（ｎ，ｐｎ)でタイマ１０００が満了した場合（予め設定した設定値とタイマ１０００の計数値とが一致した場合）に、以下の式（５）成立していれば、これを遷移条件Ｓ７とし、局（ｎ，ｐｎ)に対するフラグをＦｌａｇ（０，１）からＦｌａｇ（１，０）と変化させ、状態２−２から状態４−１に遷移させる。
【００９９】
【数９】
2010288084.tif 000011
【０１００】
すなわち、タイマ１０００が満了した場合に、上位局（ｎ−１，ｐｎ−１（ｐｎ））および下位局群（ｎ＋１，ｓｉｎ＋１（ｐｎ）），（ｉ＝１，２，３・・・）が正常な場合は、これを遷移条件Ｓ７として、局（ｎ，ｐｎ)を状態２−２から状態４−１に遷移させる。
【０１０１】
また、評定部１０２は、状態３−１として認識している局（ｎ，ｐｎ)でタイマ２００動作中にタイマ１０００が満了した場合、前記式（４）が成立していれば、これを遷移条件Ｓ７とし、タイマ２００を停止し、局（ｎ，ｐｎ)に対するフラグをＦｌａｇ（０，１）からＦｌａｇ（１，０）と変化させ、状態３−１から状態４−１に遷移させる。
【０１０２】
すなわち、タイマ２００の動作中にタイマ１０００が満了した場合に、上位局（ｎ−１，ｐｎ−１（ｐｎ））が正常であり、かつ局（ｎ，ｐｎ)に対する下位局群（ｎ＋１，ｓｉｎ＋１（ｐｎ）)，（ｉ＝１，２，３・・・)の内の少なくとも１つの局が制御データＭＴＩＥ警報を発出する場合は、これを遷移条件Ｓ７として、局（ｎ，ｐｎ)を状態３−１から状態４−１に遷移させる。
【０１０３】
また、評定部１０２は、状態３−１として認識している局（ｎ，ｐｎ)でタイマ１０００の動作中にタイマ２００が満了した場合（予め設定した設定値とタイマ２００の計数値とが一致した場合）、前記式（４）が成立していれば、これを遷移条件Ｓ８として、タイマ１０００を停止し、局（ｎ，ｐｎ)に対するフラグをＦｌａｇ（０，１）からＦｌａｇ（１，０）と変化させ、状態３−１から状態４−１に遷移させる。
【０１０４】
すなわち、タイマ１０００の動作中にタイマ２００が満了した場合に、上位局（ｎ−１，ｐｎ−１（ｐｎ））が正常であり、かつ局（ｎ，ｐｎ)に対する下位局群（ｎ＋１，ｓｉｎ＋１（ｐｎ）)，（ｉ＝１，２，３・・・)の内の少なくとも１つの局が制御データＭＴＩＥ警報を発出する場合は、これを遷移条件Ｓ８として、状態３−１から状態４−１に遷移させる。
【０１０５】
また、評定部１０２は状態２−１、２−２または３−１として認識している局（ｎ，ｐｎ)で以下に示す式（６）が成立した場合（局（ｎ，ｐｎ)が正常）、これを遷移条件Ｓ１とし、その状態から状態１−１に遷移させる。
【０１０６】
【数１０】
2010288084.tif 000012
【０１０７】
評定部１０２は状態２−２または３−１として認識している局（ｎ，ｐｎ)で以下に示す式（７）が成立した場合、これを遷移条件Ｓ４として、その状態から状態２−１に遷移させる。
【０１０８】
【数１１】
2010288084.tif 000013
【０１０９】
すなわち、状態２−２または状態３−１においてタイマ１０００の動作中に、上位局（ｎ−１，ｐｎ−１（ｐｎ））から制御データＭＴＩＥ警報が発出され、かつ上位局（ｎ−１，ｐｎ−１（ｐｎ））が自走状態でない場合は、これを遷移条件Ｓ４として、状態２−１に遷移する。
【０１１０】
評定部１０２は、状態３−１として認識している局（ｎ，ｐｎ)でタイマ２００動作中に、式（８）が成立すれば、これを遷移条件Ｓ６として、タイマ２００を停止し、状態３−１から状態２−２に遷移させる。
【０１１１】
【数１２】
2010288084.tif 000014
【０１１２】
すなわち、タイマ２００動作中に、下位局群（ｎ＋１，ｓｉｎ＋１（ｐｎ）)，（ｉ＝１，２，３・・・)から制御データＭＴＩＥ警報を発出されなくなった場合は、これを遷移条件Ｓ６として、状態３−１から状態２−２に遷移させる。
【０１１３】
評定部１０２は局（ｎ，ｐｎ)を状態４−１に遷移させたことを記憶し、通知要求信号を制御部１０３に発出する。制御部１０３はデータベース１０４の登録情報に基づき局（ｎ，ｐｎ)  に該当する局の端末に対して、そのクロック従属元変更の必要性が生じたことを通知し表示する制御信号を発出する。
【０１１４】
評定部１０２は状態４−１として認識している局（ｎ，ｐｎ)からＥ系入力ＭＴＩＥ警報を受信していなければ、Ｅ系入力は正常と判断し、局（ｎ，ｐｎ)に対し、そのクロック従属元をＮ系からＥ系に切り替えるよう切替要求信号を制御部１０３に発出する。
【０１１５】
制御部１０３は、データベース１０４の登録情報に基づき局（ｎ，ｐｎ)に該当する局に対して、そのクロック従属元をＮ系からＥ系に切り替えるよう制御信号を発出し、局（ｎ，ｐｎ)に該当する局の端末に対して、そのクロック従属元が変更されたことを通知し表示する制御信号を発出する。
【０１１６】
評定部１０２は状態４−１として認識している局（ｎ，ｐｎ) からＥ系入力ＭＴＩＥ警報を受信していれば、局（ｎ，ｐｎ)に対し、自走状態に切り替えるよう切替要求信号を制御部１０３に発出する。制御部１０３はデータベースの登録情報に基づき局（ｎ，ｐｎ)に該当する局に対して、自走状態に切り替えるよう制御信号を発出し、局（ｎ，ｐｎ)に該当する局の端末に対して、そのクロック従属元が変更されたことを通知し表示する制御信号を発出する。
【０１１７】
評定部１０２は状態４−１として認識している局（ｎ，ｐｎ)で、前述の式（６）が成立したとき、これを遷移条件Ｓ１として、局（ｎ，ｐｎ)に対するフラグをＦｌａｇ（１，０）からＦｌａｇ（１，１）と変化させ、タイマ１０００をスタートさせ、状態４−１から状態５−１に遷移させ、局（ｎ，ｐｎ)のクロック上位局である局（ｎ−１，ｐｎ−１（ｐｎ））のクロック下位局群（ｎ，ｓｉｎ（ｐｎ−１（ｐｎ））），（ｉ＝１，２，３・・・)のフラグを確認する。
【０１１８】
評定部１０２は局（ｎ，ｐｎ)を状態５−１に遷移させたことを記憶し、通知要求信号を制御部１０３に発出する。制御部１０３はデータベース１０４の登録情報に基づき局（ｎ，ｐｎ)に該当する局の端末に対して、その周波数劣化回復を通知し表示する制御信号を発出する。
【０１１９】
評定部１０２は状態５−１として認識している局（ｎ，ｐｎ)で、遷移条件Ｓ７（タイマ１０００満了）または遷移条件Ｓ１１（式（９））が成立すれば、局（ｎ，ｐｎ) に対するフラグをＦｌａｇ（１，１）からＦｌａｇ（０，０）と変化させ、タイマ１０００を停止し状態５−１から状態１−１に遷移させる。
【０１２０】
【数１３】
2010288084.tif 000015
【０１２１】
すなわち、遷移条件Ｓ７としてタイマ１０００が満了するか、または、遷移条件Ｓ１１（式（９））として、局（ｎ，ｐｎ)からのＭＴＩＥ警報が発出されない状態において、タイマ１０００の計数動作中に下位局群（ｎ＋１，ｓｉｎ＋１（ｐｎ）），（ｉ＝１，２，３・・・）からのＭＴＩＥ警報の発出が検出されなくなった場合に、状態５−１から状態１−１に遷移させる。
【０１２２】
このように、評定部１０２は状態５−１として認識している局（ｎ，ｐｎ) で、前述の遷移条件Ｓ７またはＳ１１が成立した場合に、局（ｎ，ｐｎ)に対するフラグをＦｌａｇ（１，１）からＦｌａｇ（０，０）と変化させ、状態５−１から状態１−１に遷移させる。
【０１２３】
また、前述の局群（ｎ，ｓｉｎ（ｐｎ−１（ｐｎ））），（ｉ＝１，２，３・・・)中、ｉ＝ｍの局（ｎ，ｓmｎ（ｐｎ−１（ｐｎ）））が最初に状態５−１となったとする。評定部１０２は局（ｎ，ｓmｎ（ｐｎ−１（ｐｎ）））のタイマ１０００の動作中にクロック下位局群（ｎ，ｓｉｎ（ｐｎ−１（ｐｎ）））に状態４−１または状態５−１である局が局（ｎ，ｓmｎ（ｐｎ−１（ｐｎ）））を含めて複数存在するとき、これを上位局における切替条件Ｓ９またはＳ１０として、局（ｎ−１，ｐｎ−１（ｐｎ））からＥ系入力ＭＴＩＥ警報を受信していなければ、局（ｎ−１，ｐｎ−１（ｐｎ））に対し、そのクロック従属元をＮ系からＥ系に切り替えるよう切替要求信号を制御部１０３に発出する。
【０１２４】
この場合に、切替条件Ｓ１０は、自局以外の局群（ｎ，ｓｉｎ（ｐｎ−１（ｐｎ））），（ｉ＝１，２，３・・・)中、少なくとも１局が状態４−１、状態５−１のいずれかにいる場合を示し、切替条件Ｓ９は、自局以外の局群（ｎ，ｓｉｎ（ｐｎ−１（ｐｎ））），（ｉ＝１，２，３・・・)中、少なくとも１局が状態５−１にいる場合を示している。
【０１２５】
また、制御部１０３はデータベース１０４の登録情報に基づき局（ｎ−１，ｐｎ−１（ｐｎ））に該当する局に対して、そのクロック従属元をＮ系からＥ系に切り替えるよう制御信号を発出し、局（ｎ−１，ｐｎ−１（ｐｎ））に該当する局の端末に対して、そのクロック従属元が変更されたことを通知し表示する制御信号を発出する。
【０１２６】
評定部１０２は局（ｎ−１，ｐｎ−１（ｐｎ））からＥ系入力ＭＴＩＥ警報を受信していれば、局（ｎ−１，ｐｎ−１（ｐｎ））に対し、自走状態に切り替えるよう切替要求信号を制御部１０３に発出し、制御部１０３はデータベースの登録情報に基づき局（ｎ−１，ｐｎ−１（ｐｎ））に該当する局に対して、自走状態に切り替えるよう制御信号を発出し、局（ｎ−１，ｐｎ−１（ｐｎ））に該当する局の端末に対して、そのクロック従属元が変更されたことを通知し表示する制御信号を発出する。
【０１２７】
以上説明した評定アルゴリズムにより、或る局の入力点のクロックの周波数変動（周波数精度の劣化）が生じた場合において、その局のみでなく、その下位局と、さらにその下位局など、クロックの周波数精度の劣化が階層的に派生する場合に、各局個別にクロック従属元の切替、異常解析を行うのではなく、網全体を見渡し、より少ない局での異常解析、クロック従属元の切替（または切戻）及び根本原因の同定が可能となる。
【０１２８】
なお、図８は、図７に示す評定アルゴリズムの変形例を示す図である。図８に示す評定アルゴリズムが、図７に示す評定アルゴリズムと異なるのは、図７に示す評定アルゴリズム中の「切替条件Ｓ９，Ｓ１０を基に上位局（ｎ−１，ｐｎ−１（ｐｎ））においてクロック従属元を切替える処理」の部分を省略した点であり、他は図７に示す評定アルゴリズムと同様である。このため、同一の状態には同一の符号を付し、重複する説明は省略する。
【０１２９】
この図８に示す評定アルゴリズムでは、異常発生の根本の原因となる局自身から制御データＭＴＩＥ警報が出力される場合に、この局を判別してクロック入力元をＥ系からＮ系に切り替えることができる。しかし、さらに上位の局が根本原因の場合（上位局からＭＴＩＥ警報が出力されない）には、当該上位局におけるクロック入力元の切り替えを行えないが、その分、評定部１０２における処理が簡略化される。
【０１３０】
［本発明の評定アルゴリズムを使用する場合の第１の具体例の説明］
次に、図１に示すクロック供給システム１において、前述の評定アルゴリズムを用いてクロック従属元を切り替える場合の、第１の具体的な例について説明する。
【０１３１】
第１の具体的な例として、図２１に示す構成で局Ａに対して時刻０にＮ系に正常クロック周波数ｆ０に対して周波数偏差「Δｆ／ｆ０＝１．０×１０−８」の変動が与えられたケースを考える。ただし、局Ａの上位局は正常なクロック周波数に従属しているとし、局Ａ、Ｂ１、Ｂ２、Ｂ３、Ｃ１、Ｃ２、Ｃ３各局のＥ系クロック入力周波数は正常とする。
【０１３２】
図９に時刻０から時刻４，０００秒までの各局のＭＴＩＥを示す。周波数制御データ監視部２８は、時刻１，２００秒に局Ａの制御データのＭＴＩＥが閾値１０μｓｅｃとなったことを検出し、制御データＭＴＩＥ警報を網同期クロック管理装置１００に送信する。局Ａから発出される制御データＭＴＩＥ警報をネットワーク経由で網同期クロック管理装置１００が受信し、評定部１０２における局Ａの状態は状態２−１に遷移する。
【０１３３】
時刻１，２００秒の時点では下位局Ｂ１，Ｂ２，Ｂ３のＭＴＩＥは閾値１０μｓｅｃ未満であるため、評定部１０２は局Ａを状態２−１から状態２−２に遷移させ、タイマ１０００を動作させる。
【０１３４】
局Ａでのタイマ１０００動作中である時刻１，４００秒で下位局Ｂ１，Ｂ２，Ｂ３の制御データのＭＴＩＥは閾値１０μｓｅｃとなり、局Ｂ１，Ｂ２，Ｂ３から制御データＭＴＩＥ警報を受信する。評定部１０２は局Ａのタイマ１０００を維持したまま、局Ａを状態２−２から状態３−１に遷移させタイマ２００を起動する。
【０１３５】
評定部１０２は局Ｂ１，Ｂ２，Ｂ３を状態１−１から状態２−１に遷移させる。このとき、局ＡからのＭＴＩＥ警報を受信しているので、評定部１０２は局Ｂ１，Ｂ２，Ｂ３を状態２−２には遷移させず、状態２−１を維持する。
【０１３６】
時刻１，６００秒で局Ａに対するタイマ２００が満了し、評定部１０２は局Ａに対するタイマ１０００を停止し、局Ａを状態３−１から状態４−１に遷移させる。また、このとき評定部１０２は通知要求信号を制御部１０３に送信し、制御部１０３は局Ａの端末に、局Ａにてクロック従属元切替の必要性が生じたことを通知する。
【０１３７】
評定部１０２は局Ａを状態４−１に遷移させると、局ＡのＥ系入力ＭＴＩＥ警報を受信していないので、局Ａに対するクロック従属元切替要求信号を制御部１０３に発出し、制御部１０３は局Ａに制御信号を送信し、クロック従属元をＮ系からＥ系に切り替える。このとき、制御部１０３は局Ａの端末に、局Ａにてクロック従属元切替が発生したことを通知する。
【０１３８】
同時刻１，６００秒で局Ｃ１，Ｃ２，Ｃ３の制御データのＭＴＩＥは閾値１０μｓｅｃとなり、評定部１０２は局Ｃ１，Ｃ２，Ｃ３を状態１−１から状態２−１に遷移させる。このとき、局Ｂ１，Ｂ２，Ｂ３からのＭＴＩＥ警報をそれぞれ受信しているので、評定部１０２は局Ｃ１，Ｃ２，Ｃ３を状態２−２には遷移させず、状態２−１を維持する。
【０１３９】
図１０に時刻８，０００秒から時刻１２，０００秒までの各局のＭＴＩＥ（単位：ｎｓｅｃ）を示す。
【０１４０】
時刻１０，９００秒に、正常なＥ系クロックに従属していた局Ａからの制御データＭＴＩＥ警報の発出が停止され、評定部１０２は局Ａを状態４−１から状態５−１に遷移させ、タイマ１０００を起動する。
【０１４１】
このとき評定部１０２は通知要求信号を制御部１０３に送信し、制御部１０３は局Ａの端末に、局Ａにて周波数劣化が回復したことを通知する。局Ａに対するタイマ１０００動作中の時刻1１，１００秒に下位局Ｂ１，Ｂ２，Ｂ３からの制御データＭＴＩＥ警報の発出が停止され、評定部１０２は局Ａのタイマ１０００を停止し、局Ａを状態５−１から状態１−１に遷移させ、同時に局Ｂ１，Ｂ２，Ｂ３を状態２−１から状態１−１に遷移させ、局Ｃ１，Ｃ２，Ｃ３を状態２−１から状態２−２に遷移させ、タイマ１０００を起動させる。局Ｃ１，Ｃ２，Ｃ３に対するタイマ１０００動作中の時刻１１，２００秒に局Ｃ１，Ｃ２，Ｃ３からの制御データＭＴＩＥ警報の発出が停止され、評定部１０２は局Ｃ１，Ｃ２，Ｃ３のタイマ１０００を停止し、局Ｃ１，Ｃ２，Ｃ３を状態２−２から状態１−１に遷移させる。
【０１４２】
図１１に示すように、本発明によりクロック従属元をＮ系からＥ系に切り替えるのは局Ａのみとなる。従来技術（図２３を参照）と異なり、局Ｂ１，Ｂ２，Ｂ３、Ｃ１、Ｃ２、Ｃ３での切り替えは不要である。保守者は制御部１０３から端末に表示されたクロック従属元切替履歴から局Ａにてクロック従属元切替が発生するような周波数精度劣化が発生したことを知り、異常箇所の解析及び復旧を行う。局Ａで異常箇所の解析及び復旧が終了し、クロック従属元をＮ系に切り戻す際は、網同期クロック管理装置１００から局Ａに対して保守者は手動で制御信号を送信しＮ系へ切り戻す。切り戻し作業は局Ａに対してのみであるので、迅速な切り戻し作業が可能である。
【０１４３】
［本発明の評定アルゴリズムを使用する場合の第２の具体例の説明］
次に同じく図２１に示す構成で局Ａに時刻０でＮ系に正常クロック周波数ｆ０に対して周波数偏差「Δｆ／ｆ０＝９．９×１０−１０」の変動が与えられたケース、即ち、１０，０００秒でのＭＴＩＥが９．９μｓｅｃ程度に維持される程度の周波数偏差が入力され、クロックパス上で１０，０００秒でのＭＴＩＥとして１μｓｅｃ程度の変動が加算され、局Ｂ１，Ｂ２，Ｂ３のＮ系に正常クロック周波数ｆ０に対して周波数偏差「Δｆ／ｆ０＝１．０９×１０−９」の変動（ワンダ）が与えられたケースを考える。ただし、局Ａの上位局は正常なクロック周波数に従属しているとし、局Ａ、Ｂ１、Ｂ２、Ｂ３、Ｃ１、Ｃ２、Ｃ３各局のＥ系クロック入力周波数は正常とする。
【０１４４】
図１２に時刻８，０００秒から時刻１３，０００秒までの各局のＭＴＩＥを示す。局Ａの制御データのＭＴＩＥは閾値１０μｓｅｃ未満が維持されている。
【０１４５】
時刻９，６００秒で下位局Ｂ１，Ｂ２，Ｂ３の制御データのＭＴＩＥは閾値１０μｓｅｃとなり、評定部１０２は局Ｂ１，Ｂ２，Ｂ３から制御データＭＴＩＥ警報を受信し、局Ｂ１，Ｂ２，Ｂ３を状態１−１から状態２−１に遷移させる。このとき、局Ａは状態１−１にいるので、評定部１０２は局Ｂ１，Ｂ２，Ｂ３を状態２−１から状態２−２に遷移させ、タイマ１０００を起動する。
【０１４６】
そして、局Ｂ１，Ｂ２，Ｂ３に対するタイマ１０００の動作中である時刻９，８００秒で局Ｃ１，Ｃ２，Ｃ３の制御データのＭＴＩＥは閾値１０μｓｅｃとなり、評定部１０２は局Ｃ１，Ｃ２，Ｃ３から制御データＭＴＩＥ警報を受信し、局Ｂ１，Ｂ２，Ｂ３に対するタイマ１０００を維持したまま、局Ｂ１，Ｂ２，Ｂ３を状態２−２から状態３−１に遷移させ、タイマ２００を起動し、局Ｃ１，Ｃ２，Ｃ３を状態１−１から状態２−１に遷移させる。このとき、局Ｂ１，Ｂ２，Ｂ３からのＭＴＩＥ警報をそれぞれ受信しているので、評定部１０２は局Ｃ１，Ｃ２，Ｃ３を状態２−２には遷移させず、状態２−１を維持する。
【０１４７】
時刻１０，０００秒で局Ｂ１，Ｂ２，Ｂ３に対するタイマ２００が満了し、評定部１０２は局Ｂ１，Ｂ２，Ｂ３に対するタイマ１０００を停止し、局Ｂ１，Ｂ２，Ｂ３を状態３−１から状態４−１に遷移させる。また、このとき評定部１０２は通知要求信号を制御部１０３に送信し、制御部１０３は局Ｂ１，Ｂ２，Ｂ３の端末に、局Ｂ１，Ｂ２，Ｂ３にてクロック従属元切替の必要性が生じたことを通知する。
【０１４８】
評定部１０２は局Ｂ１，Ｂ２，Ｂ３を状態４−１に遷移させると、局Ｂ１，Ｂ２，Ｂ３のＥ系入力ＭＴＩＥ警報を受信していないので、局Ｂ１，Ｂ２，Ｂ３に対するクロック従属元切替要求信号を制御部１０３に発出し、制御部１０３は局Ｂ１，Ｂ２，Ｂ３に制御信号を送信し、クロック従属元をＮ系からＥ系に切り替える。このとき、制御部１０３は局Ｂ１，Ｂ２，Ｂ３の端末に、局Ｂ１，Ｂ２，Ｂ３にてクロック従属元切替が発生したことを通知する。
【０１４９】
時刻１１，１００秒に、正常なＥ系クロックに従属していた局Ｂ１，Ｂ２，Ｂ３からの制御データＭＴＩＥ警報の発出が停止され、評定部１０２は局Ｂ１，Ｂ２，Ｂ３を状態４−１から状態５−１に遷移させ、タイマ１０００を起動する。
【０１５０】
評定部１０２は局Ｂ１，Ｂ２，Ｂ３の１局を最初に状態５−１に遷移させる際、他の２局が状態４−１にいることから、局Ａに対するクロック従属元切替要求信号を制御部１０３に発出する。制御部１０３は局Ａに制御信号を送信し、クロック従属元をＮ系からＥ系に切り替える。このとき、制御部１０３は局Ａの端末に、局Ａにてクロック従属元切替が発生したことを通知する。
【０１５１】
局Ｂ１，Ｂ２，Ｂ３に対するタイマ１０００動作中の時刻１１，３００秒に下位局Ｃ１，Ｃ２，Ｃ３からの制御データＭＴＩＥ警報の発出が停止され、評定部１０２は局Ｂ１，Ｂ２，Ｂ３のタイマ１０００を停止し、局Ｂ１，Ｂ２，Ｂ３を状態５−１から状態１−１に遷移させ、同時に局Ｃ１，Ｃ２，Ｃ３を状態２−１から状態１−１に遷移させる。
【０１５２】
図１３に示すように、本発明によりクロック従属元をＮ系からＥ系に切り替えるのは異常の根本的原因である局Ａと、その下位局Ｂ１，Ｂ２，Ｂ３のみとなる。従来技術（図２５を参照）に示す場合と異なり、局Ｃ１，Ｃ２，Ｃ３での切り替えは不要である。局Ａでのクロック従属元切替が制御データＭＴＩＥ警報が発出されていなかった状況で発生したことから、保守者は異常の根本原因が局Ａに有ると判断することができ速やかな異常箇所の解析及び復旧が可能となる。クロック従属元をＮ系に切り戻す際は、先ほどと同様に網同期クロック管理装置１００から局Ａ、Ｂ１、Ｂ２、Ｂ３に対して保守者は手動で制御信号を送信しＮ系へ切り戻す。切り戻し作業は局Ａ、Ｂ１、Ｂ２、Ｂ３に対してのみであるので、迅速な切り戻し作業が可能である。
【０１５３】
以上説明したように、本発明により、或る局Ａの入力点の周波数変動が局Ａのみでなく、その下位局Ｂ１，Ｂ２，Ｂ３と、その下位局Ｃ１，Ｃ２，Ｃ３のクロック供給装置におけるクロックの周波数精度を閾値よりも劣化させた場合、各局個別にクロック従属元の切替え、異常解析を行うのではなく、網全体を見渡しての対応が可能となり、より少ない局での異常解析、クロック従属元の切替（または切戻）及び根本原因の同定が可能となる。
【０１５４】
また、或る局Ａに周波数変動が与えられたにも係らず、局Ａはクロック入力元としてＮ系をそのまま維持し、下位局Ｂ１，Ｂ２，Ｂ３（さらには、その下位局Ｃ１，Ｃ２，Ｃ３）のクロック供給装置においてクロック周波数精度が閾値よりも劣化するような場合においても、そもそもの原因である局Ａでのクロック従属元の切替、クロック従属元の異常調査等の保守対応が可能になる。
【０１５５】
以上、本発明の実施の形態について説明したが、上述のクロック供給装置２１，２１Ａ、および網同期クロック管理装置１００は、内部にコンピュータシステムを有している。なお、ここでいう「コンピュータシステム」とは、ＯＳや周辺機器等のハードウェアを含むものとする。
【０１５６】
そして、上述した処理に関する一連の処理の過程は、プログラムの形式でコンピュータ読み取り可能な記録媒体に記憶されており、このプログラムをコンピュータが読み出して実行することによって、上記処理が行われる。
【０１５７】
すなわち、クロック供給装置２１，２１Ａ、および網同期クロック管理装置１００における、各処理は、ＣＰＵ等の中央演算処理装置がＲＯＭやＲＡＭ等の主記憶装置に上記プログラムを読み出して、情報の加工、演算処理を実行することにより、実現されるものである。
【０１５８】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。なお、クロック供給装置２１，２１Ａ、および網同期クロック管理装置１００内の各処理部は専用のハードウェアにより実現されるものであってもよい。
【０１５９】
また、クロック供給装置２１，２１Ａは、および網同期クロック管理装置１００には、周辺機器として端末が接続され、この端末には入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【０１６０】
また、「コンピュータシステム」は、ＷＷＷシステムを利用している場合であれば、ホームページ提供環境（あるいは表示環境）も含むものとする。
【０１６１】
以上、本発明の実施の形態について説明したが、本発明のクロック供給システム、クロック供給装置、および網同期クロック管理装置は、上述の図示例にのみ限定されるものではなく、本発明の要旨を逸脱しない範囲内において種々変更を加え得ることは勿論である。
【符号の説明】
【０１６２】
１，２  クロック供給システム
１１  ノード
１２  伝送装置
１３  交換機
１４  伝送路
２１，２１Ａ，２１Ｂ，２１Ｃ，２１Ｄ  クロック供給装置
２２  Ｎ系クロック受信部
２３  Ｅ系クロック受信部
２４  入力断監視部
２５  入力切替部
２６  発振器部
２７  分配部
２８  周波数制御データ監視部
３０  受信機
３１  Ｎ系ＭＴＩＥ計測部
３２  Ｅ系ＭＴＩＥ計測部
３３  出力ＭＴＩＥ計測部
４１  ネットワーク
１００  網同期クロック管理装置
１０１  警報収集部
１０２  評定部
１０３  制御部
１０４  データベース
２００  ２００秒タイマ
１０００  １０００秒タイマ
【図１】
2010288084.tif 000016
【図２】
2010288084.tif 000017
【図３】
2010288084.tif 000018
【図４】
2010288084.tif 000019
【図５】
2010288084.tif 000020
【図６】
2010288084.tif 000021
【図７】
2010288084.tif 000022
【図８】
2010288084.tif 000023
【図９】
2010288084.tif 000024
【図１０】
2010288084.tif 000025
【図１１】
2010288084.tif 000026
【図１２】
2010288084.tif 000027
【図１３】
2010288084.tif 000028
【図１４】
2010288084.tif 000029
【図１５】
2010288084.tif 000030
【図１６】
2010288084.tif 000031
【図１７】
2010288084.tif 000032
【図１８】
2010288084.tif 000033
【図１９】
2010288084.tif 000034
【図２０】
2010288084.tif 000035
【図２１】
2010288084.tif 000036
【図２２】
2010288084.tif 000037
【図２３】
2010288084.tif 000038
【図２４】
2010288084.tif 000039
【図２５】
2010288084.tif 000040
【図２６】
2010288084.tif 000041